(57)【特許請求の範囲】
【請求項１】
第１のモバイルデバイス（１０６）と第２のモバイルデバイス（１０７）との間でマルチ加入者識別モジュール（ＳＩＭ）機能を開始する方法であって、マルチＳＩＭ機能は、前記第１のモバイルデバイス及び前記第２のモバイルデバイスを共有連絡アドレスと関連付け、前記方法は、
前記第１のモバイルデバイスによって、
セルラ通信ネットワークに、前記第１のモバイルデバイスの識別子及び前記第２のモバイルデバイスの識別子を提供する（４０２）ことと、
前記第１のモバイルデバイス及び前記第２のモバイルデバイスに対するマルチＳＩＭ機能の前記セルラ通信ネットワークによる開始を要求する（４１４）ことと、
前記セルラ通信ネットワークから、前記マルチＳＩＭ機能が前記第１のモバイルデバイス及び前記第２のモバイルデバイスに対して開始されたことのインジケーションを受信する（４２８）ことと、
前記第２のモバイルデバイスに、前記第２のモバイルデバイスにプロビジョニングされることになる組み込み型ＳＩＭ（ｅＳＩＭ）をダウンロードする命令を提供する（４３０）ことであって、前記ｅＳＩＭは、前記マルチＳＩＭ機能をサポートするように構成されている、ことと、
を含む方法。
【請求項２】
前記第１のモバイルデバイス（１０６）及び前記第２のモバイルデバイス（１０７）に対するマルチＳＩＭ機能の前記セルラ通信ネットワークによる開始を前記要求する（４１４）ことは、前記第２のモバイルデバイスにプロビジョニングされることになる前記ｅＳＩＭが、前記第１のモバイルデバイスの前記ＳＩＭもマッピングされるモバイルディレクトリ番号（ＭＤＮ）にマッピングされることを要求することを含む、請求項１に記載の方法。
【請求項３】
前記第１のモバイルデバイスによって（１０６）、前記マルチＳＩＭ機能が開始されたことの前記インジケーションを前記受信した（４２８）後、受信された電話通信要求のインジケーションを受信することを更に含み、前記第２のモバイルデバイス（１０７）も、前記受信された電話通信要求の前記インジケーションを受信する、請求項１に記載の方法。
【請求項４】
前記第２のモバイルデバイス（１０７）の前記識別子は、前記第２のモバイルデバイスにプロビジョニングされることになる前記ｅＳＩＭと関連付けられた組み込み型集積回路カード識別子（ｅＩＣＣＩＤ）である、請求項１に記載の方法。
【請求項５】
前記第１のモバイルデバイス（１０６）によって、前記セルラ通信ネットワークが前記第２のモバイルデバイス（１０７）にプロビジョニングされることになる前記ｅＳＩＭと関連付けられた前記ｅＩＣＣＩＤを前記第２のモバイルデバイスのカードシリアル番号（ＣＳＮ）にバインドすることを要求する（５１４）ことと、
前記第１のモバイルデバイスによって、前記第２のモバイルデバイスにプロビジョニングされることになる前記ｅＳＩＭと関連付けられた前記ｅＩＣＣＩＤが前記第２のモバイルデバイスの前記ＣＳＮにバインドされていることの確認を受信する（５２４）ことと、
を更に含む、請求項４に記載の方法。
【請求項６】
前記マルチＳＩＭ機能が開始されたことの前記インジケーション（４２８）は、前記ｅＳＩＭをそれからダウンロードすることができるネットワークアドレスを含む、請求項１に記載の方法。
【請求項７】
前記ｅＳＩＭをダウンロードする前記命令（４３０）は、前記ｅＳＩＭのセルラキャリアネットワーク以外のセカンダリ通信チャネルを介して提供される、請求項１に記載の方法。
【請求項８】
前記セカンダリ通信チャネルは、無線ローカルエリアネットワーク（ＷＬＡＮ）又はＢｌｕｅｔｏｏｔｈのうちの１つである、請求項７に記載の方法。
【請求項９】
前記ｅＳＩＭをダウンロードする前記命令（４３０）は、前記マルチＳＩＭ機能が開始されたことの前記インジケーションを受信した（４２８）ことに応じて提供される、請求項１に記載の方法。
【請求項１０】
前記第２のモバイルデバイス（１０７）から、前記第２のモバイルデバイスにプロビジョニングされることになる前記ｅＳＩＭのダウンロードを開始する命令（４３２）を受信することと、
前記セルラ通信ネットワークに、前記ｅＳＩＭのダウンロードを開始する前記命令（４３２）を転送することと、
前記セルラ通信ネットワークから、前記ｅＳＩＭを含むメッセージ（４３４）を受信することと、
前記第２のモバイルデバイスに、前記ｅＳＩＭを含む前記メッセージ（４３４）を転送することと、
を更に含む、請求項１に記載の方法。
【請求項１１】
プライマリモバイルデバイス（１０６）であって、
加入者識別モジュール（ＳＩＭ）を記憶したユニバーサル集積回路カード（ＵＩＣＣ）と、
少なくとも１つのプロセッサと、
前記少なくとも１つのプロセッサによって前記プライマリモバイルデバイスに、
セルラ通信ネットワークに、前記プライマリモバイルデバイスの識別子及びセカンダリモバイルデバイス（１０７）の第２の識別子を提供させ（４０２）、
前記プライマリモバイルデバイス及び前記セカンダリモバイルデバイスに対するマルチＳＩＭ機能であって、前記プライマリモバイルデバイス及び前記セカンダリモバイルデバイスを共有連絡アドレスに関連付けることを可能にする、マルチＳＩＭ機能の前記セルラ通信ネットワークによる開始を要求させ（４１４）、
前記セルラ通信ネットワークから、前記マルチＳＩＭ機能が前記プライマリモバイルデバイス及び前記セカンダリモバイルデバイスに対して開始されたことのインジケーションを受信させ（４２８）、
前記セカンダリモバイルデバイスに、前記セカンダリモバイルデバイスにプロビジョニングされることになる組み込み型ＳＩＭ（ｅＳＩＭ）であって、前記ｅＳＩＭは、前記マルチＳＩＭ機能をサポートするように構成されている、ｅＳＩＭをダウンロードする命令を提供させる（４３０）、
ように実行可能なソフトウェア命令を記憶したメモリと、を備える、プライマリモバイルデバイス（１０６）。
【請求項１２】
マルチＳＩＭ機能の前記セルラ通信ネットワークによる開始を前記要求する（４１４）ことは、前記セカンダリモバイルデバイス（１０７）にプロビジョニングされることになる前記ｅＳＩＭが、前記プライマリモバイルデバイスの前記ＳＩＭもマッピングされるモバイルディレクトリ番号（ＭＤＮ）にマッピングされることを要求することを含む、請求項１１に記載のプライマリモバイルデバイス（１０６）。
【請求項１３】
前記ソフトウェア命令は、前記少なくとも１つのプロセッサによって前記プライマリモバイルデバイスに、
前記マルチＳＩＭ機能が開始されたことの前記インジケーションを受信した（４２８）後、受信された電話通信要求のインジケーションを受信させるように更に実行可能であり、前記セカンダリモバイルデバイス（１０７）も、前記受信された電話通信要求の前記インジケーションを受信する、請求項１１に記載のプライマリモバイルデバイス（１０６）。
【請求項１４】
前記第２の識別子は、前記セカンダリモバイルデバイス（１０７）にプロビジョニングされることになる前記ｅＳＩＭと関連付けられた組み込み型集積回路カード識別子（ｅＩＣＣＩＤ）である、請求項１１に記載のプライマリモバイルデバイス（１０６）。
【請求項１５】
前記ソフトウェア命令は、前記少なくとも１つのプロセッサによって前記プライマリモバイルデバイスに、
前記セルラ通信ネットワークが前記セカンダリモバイルデバイスにプロビジョニングされることになる前記ｅＳＩＭと関連付けられた前記ｅＩＣＣＩＤを前記セカンダリモバイルデバイス（１０７）のカードシリアル番号（ＣＳＮ）にバインドすることを要求させ（５１４）、
前記セカンダリモバイルデバイスにプロビジョニングされることになる前記ｅＳＩＭと関連付けられた前記ｅＩＣＣＩＤが前記セカンダリモバイルデバイスの前記ＣＳＮにバインドされていることの確認を受信させる（５２４）ように更に実行可能である、請求項１４に記載のプライマリモバイルデバイス（１０６）。
【発明の詳細な説明】
【技術分野】
【０００１】
本出願は、加入ＳＩＭを有するプライマリ無線デバイスからのアカウント情報を使用して、スマートウォッチなどのセカンダリ無線デバイスに無線通信のためのｅＳＩＭをプロビジョニングすることを含む無線通信に関する。
【背景技術】
【０００２】
無線通信システムの利用が急速に伸びている。更には、無線通信技術は、音声のみの通信から、インターネット及びマルチメディアコンテンツなどのデータの伝送も含むまでに進化した。
【０００３】
モバイル電子デバイスは、一般的にユーザが持ち運ぶスマートフォン又はタブレットの形式をとることがある。ウェアラブルデバイスは、モバイル電子デバイスのより新たな形式であり、１つの例がスマートウォッチである。特定の種類のモバイル電子デバイスは通常、無線通信能力が制限されることがあり、有線インタフェース又は短距離ポイントツーポイント技術のみを通じて通信をする能力を有することがある。したがって、そのようなモバイル電子デバイスは時に、スマートフォンなどのプライマリ無線通信デバイスと関連付けられることがあり、長距離無線通信を実行するためにプライマリデバイスに依存することがある。
【０００４】
ウェアラブルデバイス及び他の制限されたモバイルデバイスがスマートフォンの通信能力と同様の通信能力を提供することが望ましい。それゆえ、この分野における更なる改善が望まれる。
文献、Ｓｅｂａｓｔｉａｎ  Ｖｉｔｚｔｈｕｍ「ｏ２  Ｇｕｒｕ  Ｍａｒｉｅ  ｅｒｋｌａｒｔ  ｉｍ  Ｖｉｄｅｏ：Ｍｕｌｔｉｃａｒｄｓ  ｖｏｎ  ｏ２  ｏｎｌｉｎｅ  ｋｏｎｆｉｇｕｒｉｅｒｅｎ」、２０１３年８月、ｈｔｔｐｓ：／／ｂｌｏｇ．ｔｅｌｅｆｏｎｉｃａ．ｄｅ／２０１３／０８／０２−ｍｕｌｔｉｃａｒｄ−ｋｏｎｆｉｇｕｒｉｅｒｅｎ−ｕｎｄ−ｅｉｎｓｔｅｌｌｅｎ−ｖｉｄｅｏ−ａｎｌｅｉｔｕｎｇは、ウェブインタフェースを使用することによってＯ２マルチカードを構成するためにユーザが実行する必要がある工程の概要を提供する。
文献、ｏ２ｄｅｏｆｆｉｃｉａｌ、「Ｓｏ  ｇｅｈｔ’ｓ：Ｍｕｌｔｉｃａｒｄ  ｖｏｎ  ｏ２  ｋｏｎｆｉｇｕｒｉｅｒｅｎ  ｕｎｄ  ｅｉｎｓｔｅｌｌｅｎ：Ｔｉｐｐｓ＆Ｔｒｉｃｋｓ」、ｙｏｕｔｕｂｅ、２０１３年７月１２日、ｈｔｔｐｓ：／／ｗｗｗ．ｙｏｕｔｕｂｅ．ｃｏｍ／ｗａｔｃｈ？ｖ＝ｆｕＳｓＺｅｘｗ５ＴＭ、は、ｙｏｕｔｕｂｅのビデオであり、基本的に、Ｓｅｂａｓｔｉａｎ  Ｖｉｔｚｔｈｕｍによる文献と同一の開示を提供する。
独国特許出願公開第２０／２０１５／１０２１９８号明細書は、グループデバイスからプロファイルをダウンロードするためのデバイスを開示している。
【発明の概要】
【０００５】
本発明は、独立請求項によって定義される。従属請求項は、有利な実施形態を定義する。
とりわけ、加入ＳＩＭを有するスマートフォンなどのプライマリ無線デバイスからのアカウント情報を使用して、スマートウォッチなどのセカンダリ無線デバイスに無線通信のためのｅＳＩＭをプロビジョニングし、ｅＳＩＭ及び加入ＳＩＭに対するマルチＳＩＭ機能をアクティブ化するシステム及び関連する方法の実施形態が本明細書で提示される。
【０００６】
第１のモバイルデバイスと第２のモバイルデバイスとの間でマルチＳＩＭ機能を開始する方法が開示される。第１のモバイルデバイスは、セルラ通信ネットワークに、第１のモバイルデバイスの加入者識別モジュール（ＳＩＭ）の識別子及び第２のモバイルデバイスのＳＩＭの識別子を提供してもよい。第１のモバイルデバイスは、第１のモバイルデバイスのＳＩＭ及び第２のモバイルデバイスＳＩＭに対するマルチＳＩＭ機能のセルラ通信ネットワークによる開始を要求してもよい。第１のモバイルデバイスは、セルラ通信ネットワークから、マルチＳＩＭ機能が第１のモバイルデバイスのＳＩＭ及び第２のモバイルデバイスのＳＩＭに対して開始されたことのインジケーションを受信してもよい。
【０００７】
いくつかの実施形態では、第１のモバイルデバイスのＳＩＭ及び第２のモバイルデバイスのＳＩＭに対するマルチＳＩＭ機能のセルラ通信ネットワークによる開始を要求することは、第２のモバイルデバイスのＳＩＭが、第１のモバイルデバイスのＳＩＭもマッピングされているモバイルディレクトリ番号（ＭＤＮ）にマッピングされることを要求することを含んでもよい。
【０００８】
いくつかの実施形態では、第１のモバイルデバイスは、マルチＳＩＭ機能が開始されたことのインジケーションを受信した後、受信された電話通信要求のインジケーションを受信してもよく、第２のモバイルデバイスも、受信された電話通信要求のインジケーションを受信する。
【０００９】
いくつかの実施形態では、第１のモバイルデバイスのＳＩＭ及び第２のモバイルデバイスのＳＩＭのうちの少なくとも１つは、組み込み型ＳＩＭ（ｅＳＩＭ）である。
【００１０】
いくつかの実施形態では、第２のモバイルデバイスのＳＩＭの識別子は、第２のモバイルデバイスの組み込み型ＳＩＭ（ｅＳＩＭ）と関連付けられた組み込み型集積回路カード識別子（ｅＩＣＣＩＤ）であってもよい。第１のモバイルデバイスは、セルラ通信ネットワークが第２のモバイルデバイスのｅＳＩＭと関連付けられたｅＩＣＣＩＤを第２のモバイルデバイスのカードシリアル番号（ＣＳＮ）にバインドすることを要求してもよい。第１のモバイルデバイスは、第２のモバイルデバイスのｅＳＩＭと関連付けられたｅＩＣＣＩＤが第２のモバイルデバイスのＣＳＮにバインドされていることの確認を受信してもよい。
【００１１】
また、加入者識別モジュール（ＳＩＭ）を識別する識別子を有するＳＩＭを記憶したユニバーサル集積回路カード（ＵＩＣＣ）と、少なくとも１つのプロセッサと、少なくとも１つのプロセッサによってモバイルデバイスに、上記方法で説明された動作と同様の動作を実行させるように実行可能なソフトウェア命令を記憶したメモリとを含むプライマリモバイルデバイスが開示される。
【００１２】
また、組み込み型加入者識別モジュール（ｅＳＩＭ）を記憶するように構成されたユニバーサル集積回路カード（ＵＩＣＣ）と、少なくとも１つのプロセッサと、少なくとも１つのプロセッサによって実行可能なソフトウェア命令を記憶したメモリとを含むセカンダリセルラ通信デバイスが開示される。ソフトウェア命令を実行することは、セカンダリセルラ通信デバイスに、セルラ通信ネットワークから、ｅＳＩＭがセカンダリセルラ通信デバイスの識別子にバインドされたことの第１のインジケーションを受信させ、セルラ通信ネットワークから、マルチＳＩＭ機能がｅＳＩＭ及びプライマリセルラ通信デバイスのＳＩＭに対して開始されたことの第２のインジケーションを受信させ、ｅＳＩＭをＵＩＣＣにダウンロードさせ、セルラ通信ネットワーク上でセルラ通信を行うためにｅＳＩＭを利用させてもよい。
【００１３】
いくつかの実施形態では、ｅＳＩＭの国際移動電話加入者識別番号（ＩＭＳＩ）及びプライマリセルラ通信デバイスのＳＩＭのＩＭＳＩは、単一のモバイルディレクトリ番号（ＭＤＮ）にマッピングされてもよい。
【００１４】
いくつかの実施形態では、第１のインジケーション及び／又は第２のインジケーションは、プライマリセルラ通信デバイスを介してセルラ通信ネットワークから受信されてもよい。
【００１５】
いくつかの実施形態では、ＵＩＣＣは、組み込み型ＵＩＣＣ（ｅＵＩＣＣ）であってもよい。
【００１６】
いくつかの実施形態では、ソフトウェア命令を実行することは更に、セカンダリセルラ通信デバイスに、ＵＩＣＣに記憶された第２のｅＳＩＭを使用してセルラ通信を介してｅＳＩＭサーバと通信することによって、ｅＳＩＭのプロビジョニングを要求させてもよく、第２のｅＳＩＭは、制限されたセルラ通信能力を有する。
【００１７】
いくつかの実施形態では、ソフトウェア命令を実行することは更に、セカンダリセルラ通信デバイスに、無線ローカルエリアネットワーク（ＷＬＡＮ）を介してｅＳＩＭサーバと通信することによって、ｅＳＩＭのプロビジョニングを要求させてもよい。
【００１８】
この「発明の概要」は、本文書で説明される主題のうちの一部の概要を、手短に提供することを意図するものである。したがって、上述の特徴は、単なる例に過ぎず、いかなる方式でも、本明細書で説明される主題の範囲を制限するものとして解釈されるべきではないことが、理解されるであろう。本明細書で説明される主題の他の特徴、態様、及び利点は、以下の「発明を実施するための形態」、図、及び「特許請求の範囲」から明らかとなるであろう。
【図面の簡単な説明】
【００１９】
実施形態の以下の詳細な説明について以下図面と併せて考察すると、本発明の主題をより良く理解することができる。
【００２０】
【図１】いくつかの実施形態に係る、セカンダリ無線デバイスを含む例示的な無線通信システムを示す。
【００２１】
【図２】いくつかの実施形態に係る、セカンダリ無線デバイスがセルラ基地局と直接通信すること又はスマートフォンなどの中間若しくはプロキシデバイスのセルラ能力を利用することのいずれかを選択的にすることができる例示的なシステムを示す。
【００２２】
【図３】いくつかの実施形態に係る、例示的なセカンダリ無線デバイスを示すブロック図である。
【００２３】
【図４】いくつかの実施形態に係る、キャリアシステムを使用して、ｅＳＩＭをセカンダリ無線デバイスにプロビジョニングし又はマルチＳＩＭ機能を開始する例示的な動作を示すフロー図である。
【００２４】
【図５】いくつかの実施形態に係る、クライアントポータルサーバで補足されるキャリアシステムを使用して、ｅＳＩＭをセカンダリ無線デバイスにプロビジョニングし又はマルチＳＩＭ機能を開始する例示的な動作を示すフロー図である。
【００２５】
【図６】いくつかの実施形態に係る、ＳＭＳサーバを含み、クライアントポータルサーバで補足されるキャリアシステムを使用して、ｅＳＩＭをセカンダリ無線デバイスにプロビジョニングし又はマルチＳＩＭ機能を開始する例示的な動作を示すフロー図である。
【００２６】
【図７】いくつかの実施形態に係る、サインアップ手順を実施するように構成されたクライアントポータルサーバで補足されるキャリアシステムを使用して、ｅＳＩＭをセカンダリ無線デバイスにプロビジョニングし又はマルチＳＩＭ機能を開始する例示的な動作を示すフロー図である。
【００２７】
【図８】いくつかの実施形態に係る、修正されたｅＳＩＭサーバを有するキャリアシステムを使用して、ｅＳＩＭをセカンダリ無線デバイスにプロビジョニングし又はマルチＳＩＭ機能を開始する例示的な動作を示すフロー図である。
【００２８】
本明細書で説明される特徴は、様々な修正及び代替形態を受け入れる余地があるが、その特定の実施形態を例として図面に示し、本明細書で詳細に説明する。しかしながら、図面及びそれらに対する詳細な説明は、開示されている特定の形態に限定することを意図するものではなく、逆に、その意図は、添付の「特許請求の範囲」によって定義されるような本主題の範囲内に収まる、全ての修正及び代替物を包含することである点を理解されたい。
【００２９】
用語「〜するように構成されている」は、ユニット／回路／構成要素が、動作中にタスク又はタスク（複数）を実行する構造（例えば、回路）を含むことを示すことによって構造を暗示するために本明細書で使用される。したがって、ユニット／回路／構成要素は、特定のユニット／回路／構成要素が現在動作していない（例えば、オンの状態でない）ときでさえ、タスクを実行するように構成されていると言うことができる。「〜するように構成されている」という文言と共に使用されるユニット／回路／構成要素は、ハードウェア、例えば、回路、動作を実施するために実行可能なプログラム命令を記憶したメモリなどを含む。ユニット／回路／構成要素が１つ以上のタスクを実行する「ように構成されている」との記載は、そのユニット／回路／構成要素について、米国特許法第１１２条（ｆ）が発動されないことを明示的に意図している。
【発明を実施するための形態】
【００３０】
頭字語
以下の頭字語は、本開示で使用されるものである。
【００３１】
３ＧＰＰ：第３世代パートナーシッププロジェクト
【００３２】
３ＧＰＰ２：第３世代パートナーシッププロジェクト２
【００３３】
ＣＳＮ：カードシリアル番号
【００３４】
ｅＩＣＣＩＤ：組み込み型集積カード識別子
【００３５】
ｅＳＩＭ：組み込み型ＳＩＭ
【００３６】
ＧＳＭ：移動通信用のグローバルシステム
【００３７】
ＩＣＣＩＤ：集積カード識別子
【００３８】
ＩＭＳＩ：国際移動電話加入者識別番号
【００３９】
ＬＴＥ：ロングタームエボリューション（Long Term Evolution）
【００４０】
ＬＴＥ−Ａ：ＬＴＥアドバンスト
【００４１】
ＳＩＭ：加入者識別モジュール
【００４２】
ＵＭＴＳ：ユニバーサル移動体通信システム（Universal Mobile Telecommunications System）
専門用語
【００４３】
以下は、本開示で使用される用語の用語集である。
【００４４】
記憶媒体−様々な種類の非一時的メモリデバイス又は記憶デバイスのうちの任意のもの。用語「記憶媒体」は、インストール媒体、例えば、ＣＤ−ＲＯＭ、フロッピーディスク若しくはテープデバイス、ＤＲＡＭ、ＤＤＲ  ＲＡＭ、ＳＲＡＭ、ＥＤＯ  ＲＡＭ、ラムバスＲＡＭなどの、コンピュータシステムメモリ若しくはランダムアクセスメモリ、フラッシュ、磁気媒体、例えばハードドライブ、又は光記憶装置などの、不揮発性メモリ、レジスタ、又はその他の同様の種類のメモリ要素などを含むことが意図されている。記憶媒体は、他の種類の非一時的メモリ、並びにそれらの組合せも含んでもよい。加えて、記憶媒体は、プログラムが実行される第１のコンピュータシステムに位置してもよく、又はインターネットなどのネットワークを通じて第１のコンピュータシステムに接続する、第２の異なるコンピュータシステムに位置してもよい。後者の例では、第２のコンピュータシステムは、実行のために、プログラム命令を第１のコンピュータシステムに提供することができる。用語「記憶媒体」は、異なる位置、例えば、ネットワークを通じて接続された異なるコンピュータシステムに存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００４５】
搬送媒体−上述のような記憶媒体、並びに、バス、ネットワークなどの物理的伝送媒体、及び／又は電気信号、電磁気信号、若しくはデジタル信号などの信号を伝達する他の物理的伝送媒体。
【００４６】
プログラム可能ハードウェア要素−プログラム可能相互接続子を介して接続された複数のプログラム可能機能ブロックを含む様々なハードウェアデバイスを含む。例としては、ＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）、ＰＬＤ（Ｐｒｏｇｒａｍｍａｂｌｅ  Ｌｏｇｉｃ  Ｄｅｖｉｃｅ、プログラム可能論理デバイス）、ＦＰＯＡ（Ｆｉｅｌｄ  Ｐｒｏｇｒａｍｍａｂｌｅ  Ｏｂｊｅｃｔ  Ａｒｒａｙ、フィールドプログラマブルオブジェクトアレイ）、及びＣＰＬＤ（Ｃｏｍｐｌｅｘ  ＰＬＤ、複合ＰＬＤ）を含む。プログラム可能機能ブロックは、細かい粒度のもの（組み合わせ論理又はルックアップテーブル）から粗い粒度のもの（算術論理ユニット又はプロセッサコア）にまで及ぶことができる。プログラム可能ハードウェア要素はまた、「再構成可能論理」と称されることがある。
【００４７】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス若しくはデバイスの組み合わせを含む様々な種類のコンピューティング又は処理システムのうちのいずれか。一般的に、用語「コンピュータシステム」は、記憶媒体からの命令を実行する少なくとも１つのプロセッサを有する任意のデバイス（又はデバイスの組合せ）を包含するように広義に定義することができる。
【００４８】
ユーザ機器（ＵＥ）（又は「ＵＥデバイス」）−移動式又は携帯式であり、無線通信を実行する様々な種類のコンピュータシステムデバイスのうちのいずれか。ＵＥデバイスの例としては、携帯電話又はスマートフォン（例えば、ｉＰｈｏｎｅ（商標）、Ａｎｄｒｏｉｄ（商標）ベースの電話）、ポータブルゲームデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ウェアラブルデバイス（例えば、スマートウォッチ、スマートグラス）、ＰＤＡ、ポータブルインターネットデバイス、音楽プレーヤ、データ記憶デバイス、又は他のハンドヘルドデバイスなどを含む。一般に、用語「ＵＥ」又は「ＵＥデバイス」は、ユーザによって容易に持ち運ばれ、無線通信が可能ないずれかの電子コンピューティング及び／又は電気通信デバイス（又はデバイスの組合せ）を包含するように広義に定義することができる。
【００４９】
基地局−用語「基地局」（「ｅＮＢ」とも呼ばれる）は、その通常の意味の全範囲を有し、少なくとも、固定位置に設置され、無線セルラ通信システムの一部として通信するために使用される無線通信局を含む。
【００５０】
処理要素−様々な要素又は要素の組み合わせを指す。処理要素は、例えば、ＡＳＩＣ（Application Specific Integrated Circuit、特定用途向け集積回路）などの回路、個別のプロセッサコアの一部分若しくは回路、プロセッサコア全体、個別プロセッサ、フィールドプログラマブルゲートアレイ（field programmable gate array、ＦＰＧＡ）などのプログラム可能ハードウェアデバイス、及び／又は複数のプロセッサを含むシステムのより大きい部分を含む。
【００５１】
自動的に−ユーザ入力が、アクション又は動作を直接指定若しくは実行することなく、コンピュータシステム（例えば、コンピュータシステムによって実行されるソフトウェア）、又はデバイス（例えば、回路機構、プログラム可能ハードウェア要素、ＡＳＩＣなど）によって、それらのアクション又は動作が実行されることを指す。それゆえ、用語「自動的に」は、ユーザが入力を提供して動作を直接実行する、動作がユーザによって手動で実行又は指定されることとは対照的である。自動手順は、ユーザによって提供される入力によって開始されてもよいが、「自動的に」実行される後続のアクションは、ユーザによって指定されるものではなく、すなわち、実行するべき各アクションをユーザが指定する、「手動」では実行されない。例えば、ユーザが、各フィールドを選択し、情報を指定する入力を提供することによって（例えば、情報をタイプ入力すること、チェックボックスを選択すること、無線の選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定するユーザ入力を全く使用することなく、そのフォームのフィールドを分析して、フォームに記入する。上記示されたように、ユーザは、フォームの自動記入を呼び出すことができるが、フォームの実際の記入には関与しない（例えば、ユーザがフィールドに対する回答を手動で指定することはなく、むしろ、それらは、自動的に完了される）。本明細書は、ユーザが行ったアクションに応じて動作が自動的に実行される動作の様々な例を提供する。
図１：無線通信システム
【００５２】
図１は、無線セルラ通信システムの例を示す。図１は、多くの中で１つの可能性を表し、本開示の特徴が要望に応じて様々なシステムのいずれかで実施されてもよいことに留意されたい。
【００５３】
図示されるように、例示的な無線通信システムは、１つ以上の無線デバイス１０６Ａ、１０６Ｂなど、及びセカンダリ無線デバイス１０７と伝送媒体を通じて通信するセルラ基地局１０２Ａを含む。無線デバイス１０６Ａ、１０６Ｂ及び１０７は、本明細書で「ユーザ機器」（ＵＥ）又はＵＥデバイスと称されることがあるユーザデバイスであってもよい。
【００５４】
基地局１０２は、無線基地局（ＢＴＳ）又はセルサイトとすることができ、ＵＥデバイス１０６Ａ、１０６Ｂ及び１０７との無線通信を可能にするハードウェアを含んでもよい。基地局１０２はまた、ネットワーク１００（例えば、様々な可能性の中で、セルラサービスプロバイダのコアネットワーク、公衆交換電話網（ＰＳＴＮ）などの電気通信ネットワーク、及び／又はインターネット）と通信する機能を備えることもできる。それゆえ、基地局１０２は、ＵＥデバイス１０６と１０７との間の通信、及び／又はＵＥデバイス１０６／１０７とネットワーク１００との間の通信を容易にすることができる。他の実装形態では、基地局１０２は、８０２．１１ａ、ｂ、ｇ、ｎ、ａｃ、ａｄ及び／若しくはａｘなどの１つ以上のＷＬＡＮプロトコル、又は非認可帯域（ＬＡＡ）におけるＬＴＥをサポートするアクセスポイントなどの１つ以上の他の無線技術を通じて通信を提供するように構成されてもよい。
【００５５】
基地局１０２の通信領域（又はカバレッジ領域）は、「セル」と呼ばれることもある。基地局１０２Ａ及びＵＥ１０６／１０７は、ＧＳＭ、ＵＭＴＳ（ＷＣＤＭＡ、ＴＤＳ−ＣＤＭＡ）、ＬＴＥ、ＬＴＥ−Ａｄｖａｎｃｅｄ（ＬＴＥ−Ａ）、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸなどの、様々な無線アクセス技術（ＲＡＴ）又は無線通信技術のいずれかを使用して、伝送媒体を通じて通信するように構成されてもよい。
【００５６】
１つ以上のセルラ通信技術に従って動作する基地局１０２及び他の同様の基地局（図示しない）は、それゆえ、１つ以上のセルラ通信技術を介して広い地理的領域にわたってＵＥデバイス１０６Ａ〜Ｎ及び１０７並びに同様のデバイスに連続性のある又はほぼ連続性のある重複するサービスを提供することができる、セルのネットワークとして提供されてもよい。
【００５７】
少なくとも一部の例では、ＵＥデバイス１０６／１０７は、複数の無線通信技術のいずれかを使用して通信する能力を有することができることに留意されたい。例えば、ＵＥデバイス１０６／１０７は、ＧＳＭ、ＵＭＴＳ、ＣＤＭＡ２０００、ＷｉＭＡＸ、ＬＴＥ、ＬＴＥ−Ａ、ＷＬＡＮ、Ｂｌｕｅｔｏｏｔｈ、１つ以上のグローバル衛星航法システム（ＧＮＳＳ、例えばＧＰＳ又はＧＬＯＮＡＳＳ）、１つ及び／又は複数のモバイルテレビ放送標準（例えば、ＡＴＳＣ−Ｍ／Ｈ又はＤＶＢ−Ｈ）などのうちの１つ以上を使用して通信するように構成されてもよい。無線通信技術の他の組み合わせ（２つより多い無線通信技術を含む）も可能である。同様に、一部の例では、ＵＥデバイス１０６／１０７は、単一の無線通信技術のみを使用して通信するように構成されてもよい。
【００５８】
ＵＥ１０６Ａ及び１０６Ｂは典型的に、スマートフォン又はタブレットなどのハンドヘルドデバイスであるが、セルラ通信能力を有する様々な種類のデバイスのいずれかであってもよい。ＵＥ１０６Ｂは、セカンダリ無線デバイス１０７と称されることがある、ＵＥデバイス１０７と通信するように構成されてもよい。セカンダリ無線デバイス１０７は、ウェアラブルデバイス、タブレットコンピューティングデバイス、ラップトップコンピュータ、又はハンドヘルドデバイスなど、様々な種類のデバイスのうちのいずれかであってもよい。セカンダリ無線デバイス１０７は、一部のケースでは、より小さなフォームファクタを有してもよく、並びに／又はＵＥ１０６に関する制限されたバッテリ、出力電力、及び／若しくは通信能力を有してもよい。１つの共通する例として、ＵＥ１０６Ｂは、ユーザによって持ち運ばれるスマートフォンであってもよく、セカンダリ無線デバイス１０７は、同一のユーザによって身に着けられるスマートウォッチであってもよい。ＵＥ１０６Ｂ及びセカンダリ無線デバイス１０７は、例えば、Ｂｌｕｅｔｏｏｔｈなどの様々な短距離通信プロトコルのいずれかを使用して通信してもよい。
【００５９】
いくつかの実施形態では、ＵＥ１０６Ｂ及び／又はセカンダリ無線デバイス１０７は、本明細書で説明されるように、動的なマルチＳＩＭプロビジョニングを実行するように構成されてもよい。
【００６０】
図２は、基地局１０２と通信する例示的なセカンダリ無線デバイス１０７を示す。セカンダリ無線デバイス１０７は、スマートウォッチなどのウェアラブルデバイスであってもよい。セカンダリ無線デバイス１０７は、セルラ通信能力を含んでもよく、図示されるような基地局１０２と直接通信する能力を有することができる。セカンダリ無線デバイス１０７はまた、例えば、Ｗｉ−Ｆｉ又はＢｌｕｅｔｏｏｔｈなどの短距離通信プロトコルを使用して別のデバイス（例えば、ＵＥ１０６）と通信する能力を有することができる。
【００６１】
セカンダリ無線デバイス１０７は、メモリに記憶されたプログラム命令を実行するように構成されたプロセッサを含んでもよい。セカンダリ無線デバイス１０７は、そのような記憶された命令を実行することによって、本明細書で説明される方法の実施形態のうちのいずれかを実行することができる。代わりに又は加えて、セカンダリ無線デバイス１０７は、本明細書で説明される方法の実施形態のうちのいずれか、又は本明細書で説明される方法の実施形態のうちのいずれかの任意の部分を実行するように構成されたＦＰＧＡ（フィールドプログラマブルゲートアレイ）などのプログラム可能ハードウェア要素又は他の回路を含んでもよい。例えば、セカンダリ無線デバイス１０７は、本明細書で説明されるように、動的なマルチＳＩＭプロビジョニングを実行するように構成されてもよい。
【００６２】
セカンダリ無線デバイス１０７は、２つ以上の無線通信プロトコル又は無線アクセス技術を使用して通信するための１つ以上のアンテナを含んでもよい。いくつかの実施形態では、セカンダリ無線デバイス１０７は、単一の共有無線機を使用して通信するように構成されてもよい。共有無線機は、無線通信を実行するための、単一のアンテナに連結することができるか、又は複数のアンテナ（例えば、ＭＩＭＯの場合）に連結することができる。代わりに、セカンダリ無線デバイス１０７は、２つ以上の無線機を含んでもよい。例えば、セカンダリ無線デバイス１０７は、ＬＴＥ（若しくはＬＴＥアドバンスト）又はＢｌｕｅｔｏｏｔｈのいずれかを使用して通信するための共有無線機、並びにＬＴＥアドバンスト及びＢｌｕｅｔｏｏｔｈの各々を使用して通信するための別々の無線機を含んでもよい。他の構成もまた可能である。
【００６３】
セカンダリ無線デバイス１０７は、様々な種類のデバイスのうちのいずれかであってもよく、いくつかの実施形態では、従来のスマートフォンと比較してより小さなフォームファクタを有してもよい。上述したように、いくつかの実施形態では、セカンダリ無線デバイス１０７は、スマートウォッチ又は他の種類のウェアラブルデバイスであってもよい。別の例として、セカンダリ無線デバイス１０７は、Ａｐｐｌｅ  Ｉｎｃ．によるｉＰａｄ（商標）などのタブレットデバイスであってもよい。
図３−セカンダリ無線デバイスの例示的なブロック図
【００６４】
図３は、セカンダリ無線デバイス１０７の１つの考えられるブロック図を示す。図示されるように、セカンダリ無線デバイス１０７は、様々な目的のための諸部分を含むことができるシステムオンチップ（ＳＯＣ）３００を含んでもよい。例えば、図示されるように、ＳＯＣ３００は、ＵＥ１０６に対するプログラム命令を実行することができるプロセッサ（単数又は複数）３０２と、グラフィック処理を実行し、ディスプレイ３６０に表示信号を提供することができる表示回路３０４とを含んでもよい。プロセッサ（単数又は複数）３０２はまた、プロセッサ（単数又は複数）３０２からアドレスを受信し、それらのアドレスをメモリ（例えば、メモリ３０６、読み出し専用メモリ（ＲＯＭ）３５０、フラッシュメモリ３１０）内の位置に変換するように構成することができる、メモリ管理ユニット（ＭＭＵ）３４０に連結されてもよい。ＭＭＵ３４０は、メモリ保護、及びページテーブルの変換又はセットアップを実行するように構成されてもよい。いくつかの実施形態では、ＭＭＵ３４０は、プロセッサ（単数又は複数）３０２の一部分として含められてもよい。
【００６５】
セカンダリ無線デバイス１０７はまた、表示回路３０４、無線機３３０、コネクタＩ／Ｆ３２０、及び／又はディスプレイ３４０などの他の回路又はデバイスを含んでもよい。無線デバイス１０７は、１つ以上のＵＩＣＣ（単数又は複数）（ユニバーサル集積回路カード（単数又は複数））などのＳＩＭ（加入者識別モジュール）機能を含む１つ以上のスマートカード３７０を更に含んでもよい。
【００６６】
図示される実施形態では、ＲＯＭ３５０は、起動又は初期化中にプロセッサ（単数又は複数）３０２によって実行することができるブートローダを含んでもよい。また、図示されるように、ＳＯＣ３００はセカンダリ無線デバイス１０７の様々な他の回路に連結されてもよい。例えば、セカンダリ無線デバイス１０７は、様々な種類のメモリ、コネクタインタフェース３２０（例えば、コンピュータシステムに連結するための）、ディスプレイ３６０、及び無線通信回路（例えば、ＬＴＥ、ＣＤＭＡ２０００、Ｂｌｕｅｔｏｏｔｈ、Ｗｉ−Ｆｉ、ＮＦＣ、ＧＰＳなどを使用して通信するための）を含んでもよい。
【００６７】
セカンダリ無線デバイス１０７は、基地局及び／又は他のデバイスとの無線通信を実行するための、少なくとも１つのアンテナ、いくつかの実施形態では、複数のアンテナを含んでもよい。例えば、セカンダリ無線デバイス１０７は、無線通信を実行するためにアンテナ３３５を使用してもよい。上述したように、ＵＥは、いくつかの実施形態では、複数の無線通信標準又は無線アクセス技術（ＲＡＴ）を使用して無線で通信するように構成されてもよい。
【００６８】
上述したように、セカンダリ無線デバイス１０７は、１つ以上の加入者識別モジュール（ＳＩＭ）アプリケーションを実行し、及び／又は、そうでない場合、ＳＩＭ機能を実施する、ＵＩＣＣなどの少なくとも１つのスマートカード３７０を含んでもよい。少なくとも１つのスマートカード３７０は、単一のスマートカード３７０のみであってもよく、又はセカンダリ無線デバイス１０７は、２つ以上のスマートカード３７０を含んでもよい。
【００６９】
各スマートカード３７０は、組み込まれていてもよく、例えば、セカンダリ無線デバイス１０７における回路基板上に半田付けされていてもよく、又は各スマートカード３７０は、着脱可能スマートカードとして実施されてもよい。それゆえ、スマートカード（単数又は複数）３７０は、１つ以上の着脱可能スマートカード（「ＳＩＭカード」と称されることがあるＵＩＣＣなど）であってもよく、及び／又はスマートカード（単数又は複数）３７０は、固定／非着脱可能とすることができる、１つ以上の組み込み型カード（「ｅＳＩＭカード」と称されることがある、組み込み型ＵＩＣＣ（ｅＵＩＣＣ）など）であってもよい。いくつかの実施形態では、セカンダリ無線デバイス１０７は、要望に応じて、着脱可能スマートカード及び組み込み型スマートカードの組み合わせを含んでもよい。例えば、ＵＥ１０６は、２つの組み込み型スマートカード３７０、２つの着脱可能スマートカード３７０、又は１つの組み込み型スマートカード３７０及び１つの着脱可能スマートカード３７０の組み合わせを含んでもよい。様々な他のＳＩＭの構成も考慮される。
【００７０】
いくつかの実施形態では、スマートカード（単数又は複数）３７０のうちの１つ以上は、組み込み型ＳＩＭ（ｅＳＩＭ）機能を実施してもよい。そのような実施形態では、スマートカード（単数又は複数）３７０の単一の１つは、複数のＳＩＭを実行してもよい。ｅＳＩＭは、カードのオペレーティングシステムがｅＳＩＭ機能をサポートする限り、ｅＵＩＣＣ又は着脱可能ＵＩＣＣのいずれかで実施されてもよい。
【００７１】
スマートカード（単数又は複数）３７０の各々は、プロセッサ及びメモリなどの構成要素を含んでもよい。ＳＩＭ／ｅＳＩＭ機能を実行するための命令は、メモリに記憶され、プロセッサによって実行されてもよい。
【００７２】
本明細書で説明されるように、セカンダリ無線デバイス１０７は、本開示の実施形態による方法を実施するためのハードウェア及びソフトウェア構成要素を含んでもよい。例えば、セカンダリ無線デバイス１０７は、本明細書で説明されるように、動的なマルチＳＩＭプロビジョニングを実行するように構成されてもよい。セカンダリ無線デバイス１０７のプロセッサ３０２は、例えば、記憶媒体（例えば、非一時的コンピュータ可読記憶媒体）に記憶されたプログラム命令を実行することによって、本明細書で説明される方法の一部又は全てを実施するように構成されてもよい。他の実施形態では、プロセッサ３０２は、ＦＰＧＡ（フィールドプログラマブルゲートアレイ）などのプログラム可能ハードウェア要素として、又はＡＳＩＣ（特定用途向け集積回路）として構成されてもよい。
【００７３】
図１に図示されるＵＥ１０６Ａ及び１０６Ｂは、上記説明されたアーキテクチャと同様のアーキテクチャを有してもよいことに留意されたい。
マルチＳＩＭプロビジョニング
【００７４】
いくつかの無線通信ネットワークは、マルチＳＩＭ機能をサポートする。マルチＳＩＭ機能により、例えば、複数のデバイスと関連付けられた複数のＳＩＭは、共有電話番号などの共有連絡アドレスと関連付けられてもよい。それゆえ、マルチＳＩＭ機能により、共有電話番号にかけられた電話呼によって、複数のデバイスの各々が同時又は実質的同時に鳴ることができる。次いで、呼は、デバイスのいずれかで受け付けられてもよい。同様に、デバイスのいずれかからかけられた呼は、共有番号で識別されてもよい。ＳＭＳ又はＭＭＳメッセージなどの他の通信機能が同様に処理されてもよく、すなわち、受信されたメッセージは、共有番号と関連付けられた全てのデバイスに伝達されてもよく、発信メッセージは、関連付けられたデバイスのいずれがメッセージを発信したかに関わらず共有番号で識別されてもよい。
【００７５】
ＵＥ１０６などのプライマリデバイスとセカンダリ無線デバイス１０７などのセカンダリデバイスとの間でマルチＳＩＭ機能を達成するために、キャリアネットワークは、２つのデバイスの各々のＳＩＭ、例えば、デバイスの各々のＩＭＳＩを同一のモバイルディレクトリ番号（ＭＤＮ）にマッピングしてもよい。それゆえ、各デバイスは、一意なＳＩＭ情報（例えば、ネットワーク内での識別及び認証のための）を維持するとともに、共通ＭＤＮを共有する。通信が共通ＭＤＮにアドレス指定されたネットワークによって受信されるとき、ネットワークは、通信を分岐（fork）させ、共通ＭＤＮと関連付けられたプライマリデバイス及びセカンダリデバイスの両方にそれを向ける。同様に、プライマリデバイス又はセカンダリデバイスのいずれかが通信を開始するとき、ネットワークは、共通ＭＤＮによって識別される発信元のポイントを有するとして通信を処理してもよい。それゆえ、いずれのデバイスは、他のデバイスの近接性又は動作状態に関わらず、ＭＤＮと関連付けられた通信を送信又は受信するために使用されてもよい。
【００７６】
モバイルデバイス内でマルチＳＩＭ機能を達成するために、モバイルデバイスのＳＩＭは、マルチＳＩＭをサポートするように構成されたオペレーティングシステムを含んでもよい。歴史的に、ＳＩＭは、製造時にこの機能がプロビジョニングされてきた。更に、ＳＩＭは、歴史的に、適切なペアのＳＩＭで、すなわち、ペア又はグループのセットのＳＩＭとして製造された２つ以上のＳＩＭで製造されてきた。
【００７７】
しかしながら、本明細書で開示されるシステム及び方法は、ＳＩＭのオペレーティングシステムがマルチＳＩＭ機能をサポートする限り、前にペアリングが解除されたＳＩＭをマルチＳＩＭ機能で動的にプロビジョニングする機能を提供する。
【００７８】
加えて、本明細書で議論されるように、ｅＳＩＭはまた、マルチＳＩＭ機能で動作するように構成されてもよい。それゆえ、ｅＳＩＭの動的なプロビジョニングは、本明細書で説明されるように、既に動作しているモバイルデバイスがマルチＳＩＭ機能をサポートするように構成されたｅＳＩＭを動的にプロビジョニングされることを可能にする。
図４〜８−ｅＳＩＭの動的なプロビジョニング及びマルチＳＩＭ機能の開始
【００７９】
図４〜８は、それによって、セルラ通信などの無線通信のためのｅＳＩＭをセカンダリ無線デバイス１０７に動的にプロビジョニングすることができ、並びに／又はそれによって、プライマリ無線デバイス１０６及びセカンダリ無線デバイス１０７に対してマルチＳＩＭ機能を開始することができる、例示的な方法を示すフロー図である。いくつかのシナリオでは、セカンダリデバイスに対するｅＳＩＭは、アカウント情報を使用してプライマリ無線デバイス１０６からプロビジョニングされてもよい。例えば、ＳＩＭアカウント情報を有するプライマリ無線デバイス１０６は、例えば、ＳＩＭカウントと関連付けられたｅＳＩＭのセカンダリ無線デバイスへのプロビジョニングを開始することによって、クライアントポータルにサインインし、セカンダリ無線デバイス１０７をＳＩＭアカウントに追加するように構成されてもよい。キャリアがマルチＳＩＭ機能をサポートする場合、ｅＳＩＭのプロビジョニングは次いで、マルチＳＩＭ機能をＳＩＭアカウントに追加することを含むことができる。
【００８０】
図４は、キャリアシステムを使用して、ｅＳＩＭをセカンダリ無線デバイス１０７にプロビジョニングすること及び／又はマルチＳＩＭ機能を開始することを示す。図５は、クライアントポータルサーバで補足されるキャリアシステムを使用して、ｅＳＩＭをセカンダリ無線デバイス１０７にプロビジョニングすること及び／又はマルチＳＩＭ機能を開始することを示す。図６は、ＳＭＳサーバを含み、クライアントポータルサーバで補足されるキャリアシステムを使用して、ｅＳＩＭをセカンダリ無線デバイス１０７にプロビジョニングすること及び／又はマルチＳＩＭ機能を開始することを示す。図７は、サインアップ手順を実施するように構成されたクライアントポータルサーバで補足されるキャリアシステムを使用して、ｅＳＩＭをセカンダリ無線デバイスにプロビジョニングすること及び／又はマルチＳＩＭ機能を開始することを示す。図８は、修正されたｅＳＩＭサーバを有するキャリアシステムを使用して、ｅＳＩＭをセカンダリ無線デバイスにプロビジョニングすること及び／又はマルチＳＩＭ機能を開始することを示す。
【００８１】
図に示されるフロー図は説明を容易にするために簡易化されていることを理解するべきである。示されるシステムは、追加の要素及び／又は信号を含んでもよい。以下の議論は、１つ以上の信号を第２の要素「に送信する」第１の要素の説明を含む場合があるが、そのような信号は、いくつかの環境では、無線アクセスネットワーク（例えば、セルラ基地局若しくは他の無線アクセスポイントを含む）などの中間要素を介して、並びに／又は中間ネットワーク（例えば、ＷＬＡＮ、インターネット、及び／若しくはセルラネットワークの他の部分）を介して送信されてもよいことを理解するべきである。
図４−キャリアシステムを使用したｅＳＩＭのプロビジョニング又はマルチＳＩＭの開始
【００８２】
図４は、プライマリデバイス、セカンダリデバイス、アクセスサーバ、電話アプリケーションサーバ（ＴＡＳ）／課金システム、及びｅＳＩＭサーバを含む通信システムに関連して送信される通信４０２〜４３６を示す。通信４０２〜４３６の各々は、通信システムの示された要素の間で送信される１つ以上のメッセージを含んでもよい。プライマリデバイスは、上記議論されたように、ＵＥ１０６などのデバイスを含んでもよい。セカンダリデバイスは、上記議論されたように、セカンダリ無線デバイス１０７などのデバイスを含んでもよい。アクセスサーバは、ｅＳＩＭサーバ及び／又はＨＳＳ／ＴＡＳ／課金システムへのアクセスを制御するように構成された１つ以上のサーバデバイスを含んでもよい。アクセスサーバは、セルラサービスプロバイダなどのキャリアによって、又はキャリアのエージェントによってホストされてもよい。ＨＳＳ／ＴＡＳ／課金システムは、キャリアによって無線デバイスに対し、課金情報及びサービスなどの無線アカウント情報及びサービスを提供するように構成された１つ以上のサーバデバイスを含んでもよい。ＨＳＳ／ＴＡＳ／課金システムの１つ以上のサーバデバイスは、追加の電話アプリケーションサービスを提供するように更に構成されてもよく、例えば、ホーム加入者サーバとしての機能を果たしてもよい。ＨＳＳ／ＴＡＳ／課金システムは、キャリアによって、又はキャリアのエージェントによってホストされてもよい。ｅＳＩＭサーバは、ｅＳＩＭを管理及びプロビジョニングするように構成された１つ以上のサーバデバイスを含んでもよい。ｅＳＩＭサーバは、セルラサービスプロバイダなどのキャリアによって、又はキャリアのエージェントによってホストされてもよい。
【００８３】
プライマリデバイスは、セカンダリデバイスに対して利用可能なサービスプランに関する情報をアクセスサーバから要求するクエリ４０２を送信してもよい。例えば、クエリ４０２は、プライマリデバイスの既存のサービスプランに追加することができるサービスプランに関する情報を要求することができる。クエリ４０２は、プライマリ及び／又はセカンダリデバイスを識別することができる。例えば、クエリ４０２は、セカンダリデバイスのｅＵＩＣＣと関連付けられたカードシリアル番号（ＣＳＮ）を識別することができる。いくつかのシナリオでは、セカンダリデバイスを識別するためにＣＳＮなどの物理ｅＵＩＣＣと関連付けられた識別子を使用することは、ＳＩＭと関連付けられた、集積回路カードＩＤ（ＩＣＣＩＤ）番号などの、この分野で既知の他の識別子を使用することを上回る利点を提供することができる。例えば、ｅＵＩＣＣはｅＳＩＭと共に動的にプロビジョニングされてもよいので、ｅＵＩＣＣに存在するｅＳＩＭは、異なるＩＣＣＩＤを有することができる新たなｅＳＩＭと潜在的に置き換えられてもよい。他のシナリオでは、ＩＣＣＩＤ又は他の識別子は、セカンダリデバイスを識別するために使用されてもよい。いくつかのシナリオでは、クエリ４０２は、以下で議論されるように、例えば、ＷＬＡＮを介して、又は第２のＳＩＭ（例えば、機能が制限されたＳＩＭ）を使用することによって、セカンダリデバイスによってアクセスサーバに送信されてもよい。
【００８４】
クエリ４０２を受信したことに応じて、アクセスサーバは、ＨＳＳ／ＴＡＳ／課金システムにクエリ４０４を送信してもよく、それは、ＨＳＳ／ＴＡＳ／課金システムにセカンダリデバイスに対して利用可能なサービスプランに関する情報についての要求を中継してもよい。
【００８５】
クエリ４０４を受信したことに応じて、ＨＳＳ／ＴＡＳ／課金システムは、セカンダリデバイスに対して利用可能なサービスプランに関する情報を識別してもよい。例えば、情報は、セカンダリデバイスに対して利用可能な１つ以上のサービスプランのリストを含んでもよく、各プランのコスト並びに／又はプランのうちの１つ以上と関連付けられた契約条項及び条件などの更なる情報を含んでもよい。
【００８６】
セカンダリデバイスに対して利用可能なサービスプランは固定されてもよく、又はセカンダリデバイスのデバイスの種類若しくはプライマリデバイスと関連付けられたサービスプランなどの１つ以上の要因に依存してもよい。いくつかのシナリオでは、サービスプランのリストは、セカンダリデバイスのみに関連するサービスプランを含んでもよい。例えば、サービスプランのリストは、例えば、所与の価格に対し、例えば、指定された期間内でセカンダリデバイスによる使用のために利用可能な指定された量の音声及び／又はデータ通信を含んでもよい。示される例として、リストは、１月あたりＸドルに対し４００分の音声及び２ギガバイトのデータ、１月あたりＹドルに対し１０００分の音声及び５ギガバイトのデータ、並びに／又は１月あたりＺドルに対し無制限の音声及びデータなどのサービスプランを含んでもよい。
【００８７】
加えて又は代わりに、サービスプランのリストは、プライマリデバイス及びセカンダリデバイスの両方に関連するサービスプランを含んでもよい。例えば、サービスプランのリストは、所与の価格に対しプライマリデバイスに割り当てられたデータ及び／又は音声リソースをセカンダリデバイスが使用することを可能にする１つ以上のプランを含んでもよい。示される例として、プライマリデバイスが１月あたり１０００分の音声及び５ギガバイトのデータを提供するサービスプランで動作する場合、サービスプランのリストは、１月あたり追加のＷドルに対し１０００分の音声及び／又は５ギガバイトのデータのうちの一部又は全てをセカンダリデバイスが利用することを可能にするオプションを含んでもよい。
【００８８】
ＨＳＳ／ＴＡＳ／課金システムは次いで、アクセスサーバにサービスプランに関する識別された情報を提供するレスポンス４０６を送信してもよい。レスポンス４０６は、クエリ４０４に少なくとも部分的に応じていてもよい。
【００８９】
レスポンス４０６を受信したことに応じて、アクセスサーバは、プライマリデバイスにレスポンス４０８を送信してもよく、それは、プライマリデバイスにセカンダリデバイスに対して利用可能なサービスプランに関する識別された情報のうちの一部又は全てを中継してもよい。
【００９０】
サービスプランに関する情報を受信すると、プライマリデバイスは、４１０において情報の一部又は全てをユーザに表示してもよい。例えば、プライマリデバイスは、セカンダリデバイスに対して利用可能なサービスプランのリストを含むグラフィカルユーザインタフェースを表示してもよい。グラフィカルユーザインタフェースは、各サービスプランのコスト、並びに／又はサービスプランのうちの１つ以上と関連付けられた契約条項及び条件などの追加の情報を更に含んでもよい。
【００９１】
４１２において、プライマリデバイスは、ユーザから入力を受信してもよい。例えば、プライマリデバイスは、タッチスクリーン対話、音声コマンド、又は任意の他の入力方法を介してユーザから入力を受信してもよい。ユーザ入力は、利用可能なサービスプランのうちの１つを選択してもよく、また、選択されたサービスプランと関連付けられた契約条項及び条件の受付を示す入力などの追加の入力を提供してもよい。いくつかのシナリオでは、通信４１０及び４１２は、複数のステップを含んでもよく、反復的であってもよい。１つの説明の例では、プライマリデバイスは、利用可能なサービスプランのリストを表示してもよく、表示されたサービスプランのうちの１つのユーザ選択を受信してもよく、それに応じて、次いで、選択されたサービスプランと関連付けられた条項及び条件を表示してもよく、条項及び条件の受付を示す追加のユーザ入力を受信してもよい。支払い情報についての要求、構成設定などの他の情報も表示されてもよく、例えば、そのような他の情報に応じて他のユーザ入力が受信されてもよい。いくつかのシナリオでは、セキュリティ情報（例えば、ユーザ名及びパスワード、個人情報）を要求する１つ以上のプロンプトも表示されてもよく、セキュリティ情報が受信されてもよい。いくつかのシナリオでは、プライマリデバイスは、正確なセキュリティ情報が受信されない限り、サービスプランをアクティブ化すること又はマルチＳＩＭ機能を開始することに対して更なる動作を行わなくてもよい。
【００９２】
プライマリデバイスは、アクセスサーバに、セカンダリデバイスに対するサービスプランをアクティブ化するプラン追加命令（Add Plan instruction）４１４を送信してもよい。例えば、プラン追加命令４１４は、セカンダリデバイスに対するサービスプランをプライマリデバイスと関連付けられた既存のアカウントに追加する命令を含んでもよい。いくつかの例では、プラン追加命令４１４は、加えて又は代わりに、セカンダリデバイスに、プライマリデバイスに基づくマルチＳＩＭ機能をプロビジョニングするインジケーションを含んでもよい。プラン追加命令４１４は、選択されたサービスプランを識別することができる。プラン追加命令４１４はまた、例えば、１つ以上のＩＣＣＩＤ及び／又はＣＳＮを使用して、セカンダリデバイス及び／又はプライマリデバイスを識別することができる。プラン追加命令４１４は、４１２においてユーザ入力を受信したことに少なくとも部分的に応じて送信されてもよい。他のシナリオでは、プライマリデバイスは、例えば、レスポンス４０８が１つの利用可能なサービスプランのみを識別した場合、又は前に受信されたユーザ志向若しくは命令に基づいてプライマリデバイスによってサービスプランを識別することができる場合、４１０において情報を表示することなく、又は４１２においてユーザ入力を受信することなく、レスポンス４０８を受信したことに応じてプラン追加命令４１４を自動的に送信してもよい。
【００９３】
プラン追加命令４１４を受信したことに応じて、アクセスサーバは、ｅＳＩＭサーバにｅＩＣＣＩＤ予約命令（Reserve eICCID instruction）４１６を送信してもよい。ｅＩＣＣＩＤ予約命令４１６は、例えば、１つ以上のＩＣＣＩＤ及び／又はＣＳＮを使用して、セカンダリデバイス及び／又はプライマリデバイスを識別することができる。ｅＩＣＣＩＤ予約命令４１６はまた、選択されたサービスプランを識別することができる。ｅＩＣＣＩＤ予約命令４１６はまた任意選択で、予約されることになるｅＩＣＣＩＤがマルチＳＩＭ機能をサポートするように構成されたｅＳＩＭと関連付けられるべきであることのインジケーションを含んでもよい。ｅＩＣＣＩＤ予約命令４１６を受信したことに応じて、ｅＳＩＭサーバは、セカンダリデバイスに対するｅＩＣＣＩＤを予約してもよく、予約されたｅＩＣＣＩＤは、選択されたサービスプランをサポートするように構成されたｅＳＩＭと関連付けられている。ｅＳＩＭサーバは次いで、アクセスサーバに、セカンダリデバイスに対してｅＩＣＣＩＤが予約されたことを確認応答する予約ＡＣＫ（Reserve ACK）４１８を送信してもよい。予約ＡＣＫ４１８は、予約されたｅＩＣＣＩＤを識別することができる。
【００９４】
アクセスサーバは、ＨＳＳ／ＴＡＳ／課金システムに、セカンダリデバイスに対するサービスプランをアクティブ化するプランアクティブ化命令（Activate Plan instruction）４２０を送信してもよい。例えば、プランアクティブ化命令４２０は、セカンダリデバイスに対するサービスプランをプライマリデバイスと関連付けられた既存のアカウントに追加する命令を含んでもよい。加えて又は代わりに、プランアクティブ化命令４２０は、プライマリデバイス及びセカンダリデバイスに対するマルチＳＩＭ機能を開始するインジケーションを含んでもよい。プランアクティブ化命令４２０は、選択されたサービスプランを識別することができる。プランアクティブ化命令４２０はまた、例えば、１つ以上のＩＣＣＩＤ（例えば、予約されたｅＩＣＣＩＤ）及び／又はＣＳＮを使用して、セカンダリデバイス及び／又はプライマリデバイスを識別することができる。アクセスサーバは、予約ＡＣＫ４１８を受信したことに少なくとも部分的に応じて、プランアクティブ化命令４２０を送信してもよい。
【００９５】
プランアクティブ化命令４２０を受信したことに応じて、ＨＳＳ／ＴＡＳ／課金システムは、セカンダリデバイスに対する選択されたサービスプランをアクティブ化してもよい。例えば、ＨＳＳ／ＴＡＳ／課金システムは、選択されたサービスプランをプライマリデバイスと関連付けられた既存のアカウントに追加してもよい。加えて又は代わりに、ＨＳＳ／ＴＡＳ／課金システムは、プライマリデバイス及びセカンダリデバイスに対するマルチＳＩＭ機能を開始してもよい。例えば、ＨＳＳ／ＴＡＳ／課金システムは、プライマリデバイス及びセカンダリデバイスの各々のＩＭＳＩ（又は他の識別子）を同一のＭＤＮにマッピングしてもよい。ＨＳＳ／ＴＡＳ／課金システムは次いで、アクセスサーバに、選択されたサービスプランがアクティブ化されたこと及び／又はマルチＳＩＭ機能が開始されたことを確認応答するアクティブ化ＡＣＫ（Activate ACK）４２２を送信してもよい。アクティブ化ＡＣＫ４２２は、ＵＲＬを含んでもよく、ＵＲＬから、バインドされたｅＩＣＣＩＤと関連付けられたｅＳＩＭをダウンロードすることができる。
【００９６】
アクセスサーバは、ｅＳＩＭサーバにｅＩＣＣＩＤバインド命令（Bind eICCID instruction）４２４を送信してもよい。ｅＩＣＣＩＤバインド命令４２４は、セカンダリデバイス及び／又は予約されたｅＩＣＣＩＤを識別することができる。アクセスサーバは、アクティブ化ＡＣＫ４２２を受信したことに少なくとも部分的に応じて、ｅＩＣＣＩＤバインド命令４２４を送信してもよい。ｅＩＣＣＩＤバインド命令４２４を受信したことに応じて、ｅＳＩＭサーバは、例えば、ｅＩＣＣＩＤをセカンダリデバイスのＣＳＮ又は他の識別子にバインドすることによって、予約されたｅＩＣＣＩＤをセカンダリデバイスにバインドしてもよい。ｅＳＩＭは次いで、アクセスサーバに、ｅＩＣＣＩＤがバインドされたことを確認応答するバインドＡＣＫ（Bind ACK）４２６を送信してもよい。バインドＡＣＫ４２６は、ＵＲＬを含んでもよく、ＵＲＬから、バインドされたｅＩＣＣＩＤと関連付けられたｅＳＩＭをダウンロードすることができる。
【００９７】
アクセスサーバは、プライマリデバイスに、サービスプランがセカンダリデバイスに対してアクティブ化されたこと及び／又はマルチＳＩＭ機能が開始されたことを確認応答するプラン追加ＡＣＫ（Add Plan ACK）４２８を送信してもよい。アクセスサーバは、バインドＡＣＫ４２６を受信したことに少なくとも部分的に応じて、プラン追加ＡＣＫ４２８を送信してもよい。プラン追加ＡＣＫ４２８は、ｅＳＩＭサーバによってセカンダリデバイスにバインドされたｅＩＣＣＩＤを含んでもよい。プラン追加ＡＣＫ４２８はまた、ＵＲＬ又は他のネットワークアドレスを含んでもよく、それらから、バインドされたｅＩＣＣＩＤと関連付けられたｅＳＩＭをダウンロードすることができる。代わりに、レスポンス４０８においてなどの別のポイントにおいてＵＲＬが提供されてもよく、又はプライマリデバイスのソフトウェア構成においてＵＲＬが事前定義されてもよい。
【００９８】
プライマリデバイスは、セカンダリデバイスにｅＳＩＭダウンロード命令（eSIM Download instruction）４３０を送信してもよい。ｅＳＩＭダウンロード命令４３０は、例えば、ｅＳＩＭサーバによってセカンダリデバイスにバインドされたｅＩＣＣＩＤを識別することによって、セカンダリデバイスにプロビジョニングされることになるｅＳＩＭを識別することができる。セカンダリデバイスがキャリアネットワーク上で通信のためにバインドされたｅＳＩＭを未だプロビジョニングされていないので、プライマリデバイスは、いくつかのシナリオでは、ＷＬＡＮネットワーク又はＢｌｕｅｔｏｏｔｈ接続などの短距離通信接続などのセカンダリ通信チャネルを介してｅＳＩＭダウンロード命令４３０を送信してもよい。プライマリデバイスは、プラン追加ＡＣＫ４２８を受信したことに少なくとも部分的に応じて、ｅＳＩＭダウンロード命令４３０を送信してもよい。
【００９９】
セカンダリデバイスは、ｅＳＩＭサーバに、セカンダリデバイス、プライマリデバイス、又はセカンダリデバイスにプロビジョニングされることになるｅＳＩＭのうちの１つ以上を識別することができるダウンロード開始命令（Initiate Download instruction）４３２を送信してもよい。例えば、ダウンロード開始命令４３２は、セカンダリデバイスにバインドされたｅＩＣＣＩＤ、セカンダリデバイスのＣＳＮ若しくは他の識別子、及び／又はプライマリデバイスのＩＣＣＩＤ若しくは他の識別子を含んでもよい。セカンダリデバイスは、ダウンロード開始命令４３２をプラン追加ＡＣＫ４２８において識別されたＵＲＬにアドレス指定してもよい。セカンダリデバイスは、ｅＳＩＭダウンロード命令４３０を受信したことに少なくとも部分的に応じて、ダウンロード開始命令４３２を送信してもよい。いくつかのシナリオでは、セカンダリデバイスは、ｅＳＩＭサーバ、アクセスサーバ、又はプライマリデバイスから、ｅＳＩＭがダウンロードのために準備されていることのバインドＡＣＫ４２６などのバインドＡＣＫ又は他のインジケーションを受信したことに少なくとも部分的に応じて、ダウンロード開始命令４３２を送信してもよい。いくつかのシナリオでは、セカンダリデバイスは、ＨＳＳ／ＴＡＳ／課金システム、アクセスサーバ、又はプライマリデバイスから、選択されたサービスプランがアクティブ化されたこと及び／又はマルチＳＩＭ機能が開始されたことのアクティブ化ＡＣＫ４２２などのアクティブ化ＡＣＫ又は他のインジケーションを受信したことに少なくとも部分的に応じて、ダウンロード開始命令４３２を送信してもよい。
【０１００】
ダウンロード開始命令４３２を受信したことに少なくとも部分的に応じて、ｅＳＩＭサーバは、セカンダリデバイスに、セカンダリデバイスにバインドされたｅＳＩＭを含むｅＳＩＭペイロード（eSIM Payload）４３４を送信してもよい。
【０１０１】
セカンダリデバイスは、４３６において、ｅＳＩＭペイロード４３４を受信してもよく、含まれるｅＳＩＭをｅＵＩＣＣに記憶してもよい。この段階において、セカンダリデバイスは、ｅＳＩＭをプロビジョニングされることに成功しており、キャリアネットワーク上で通信のためにプロビジョニングされたｅＳＩＭを使用することができる。セカンダリデバイスは、いくつかのシナリオでは、第１のデバイスに、ｅＳＩＭのダウンロードの成功又は失敗の通知を通信してもよい。
【０１０２】
図４に示されるように、いくつかのシナリオでは、プライマリデバイスは、例えば、セカンダリデバイスがキャリアネットワーク上で通信のためにバインドされたｅＳＩＭを未だプロビジョニングされていないので、ダウンロード開始命令４３２及び／又はｅＳＩＭペイロード４３４をｅＳＩＭサーバと通信する際にセカンダリデバイスに対するプロキシとしての機能を果たしてもよい。例えば、セカンダリデバイスは、セルラ若しくはＷＬＡＮネットワークを介して通信するように構成されないことがあり、又はそのようなネットワークを介して適切な接続を取得することができないことがある。そのようなシナリオでは、プライマリデバイスは、ｅＳＩＭサーバと通信する際にプロキシとしての機能を果たしてもよい。例えば、セカンダリデバイスは、Ｂｌｕｅｔｏｏｔｈ接続などの短距離通信接続などのセカンダリ通信チャネルを介してダウンロード開始命令４３２をプライマリデバイスに送信してもよい。プライマリデバイスは次いで、キャリアネットワークを介してダウンロード開始命令４３２をｅＳＩＭサーバに転送してもよい。同様に、ｅＳＩＭサーバは、ｅＳＩＭペイロード４３４をプライマリデバイスに送信してもよい。プライマリデバイスは次いで、セカンダリ通信チャネルを介してｅＳＩＭペイロード４３４をセカンダリデバイスに転送してもよい。
【０１０３】
他のシナリオでは、セカンダリデバイスは、プロキシとしての機能を果たすプライマリデバイスなしに、ｅＳＩＭサーバ及び／又は他のネットワーク構成要素と直接通信する能力を有することができる。例えば、いくつかのそのようなシナリオでは、セカンダリデバイスは、キャリアネットワークを介して通信する能力を有さないことがあるが、ＷＬＡＮネットワークなどの長距離セカンダリ通信ネットワークを介してｅＳＩＭサーバと通信する能力を有することができる。他のそのようなシナリオでは、セカンダリデバイスは、バインドされたｅＳＩＭをプロビジョニングされる前でさえ、キャリアネットワークを介して通信する能力を制限されることがある。例えば、セカンダリデバイスは、セルラ音声通信でなくセルラデータ通信のみをサポートするように構成されたＳＩＭを前にプロビジョニングされていることがある。そのような例では、バインドされたｅＳＩＭは、音声通信などのキャリアネットワークを介して追加の通信能力を提供するために、セカンダリデバイス（例えば、セカンダリデバイスは、複数のＵＩＣＣｓ／ｅＵＩＣＣ、及び複数のＳＩＭを実行するように構成された単一のｅＵＩＣＣを含む）によってダウンロードされてもよい。それゆえ、セカンダリデバイスは、新たにバインドされるｅＳＩＭを取得するために、前にプロビジョニングされたデータ専用ＳＩＭを使用してキャリアネットワークを介してｅＳＩＭサーバと通信する能力を有することができる。別の例として、セカンダリデバイスは、「ブートストラップＳＩＭ（bootstrap SIM）」と称されることがある、制限されたＳＩＭを前にプロビジョニングされていることがある。ブートストラップＳＩＭは、ダウンロード開始命令４３２を送信すること及びｅＳＩＭペイロード４３４を受信することなど、新たなｅＳＩＭのプロビジョニングに関連した通信のみをサポートするように構成されてもよく、ユーザデータの通信をサポートしなくてもよい。それゆえ、セカンダリデバイスは、新たにバインドされるｅＳＩＭを取得するために、前にプロビジョニングされたブートストラップＳＩＭを使用してキャリアネットワークを介してｅＳＩＭサーバと通信する能力を有することができる。
【０１０４】
図４に関連して上記開示された方法は、様々なシナリオ、特に、セカンダリデバイスの能力が通信又は構成に関して制限されるシナリオで有用である。例えば、セカンダリデバイスがスマートウォッチであるシナリオでは、セカンダリデバイスにｅＳＩＭをプロビジョニングする工程でプライマリデバイスのより大きく又はより有用なインタフェースを活用することができるので、図４で示される方法が有効となることがある。加えて、上記議論されたように、セカンダリデバイスにｅＳＩＭをプロビジョニングする工程でｅＳＩＭサーバ及び／又はアクセスサーバと通信する際にプライマリデバイスの通信能力も活用することができる。加えて、上記議論されたように、プロビジョニングの工程へのプライマリデバイスの関与は、セカンダリデバイスに対して選択されたサービスプランがプライマリデバイスと関連付けられた既存のアカウントに追加されることになるシナリオで望ましいことがある。
【０１０５】
しかしながら、他のシナリオでは、セカンダリデバイスは、セカンダリデバイスがｅＳＩＭのその自身のプロビジョニングを開始することを可能にするために十分な通信及び構成能力を含んでもよい。例えば、セカンダリデバイスは、大型ディスプレイを含むことができ、例えば、ＷＬＡＮ通信回路及び／又はデータ専用ＳＩＭ若しくはブートストラップＳＩＭなどの前にプロビジョニングされたＳＩＭを使用することによって、長距離通信能力を更に含むことができるタブレットコンピュータであってもよい。そのようなシナリオでは、図４の方法は、プライマリデバイスを除去するように適合されてもよい。例えば、セカンダリデバイスは、クエリ４０２、プラン追加命令４１４、及びダウンロード開始命令４３２を送信してもよい。同様に、セカンダリデバイスは、リプライ４０８、プラン追加ＡＣＫ４２８、及びｅＳＩＭペイロード４３４を受信してもよい。セカンダリデバイスはまた、４１０において情報を表示してもよく、４１２においてユーザ入力を受信してもよい。ｅＳＩＭダウンロード命令４３０が省略されてもよい。
【０１０６】
図４、及びそれについての前の説明は例示に過ぎず、様々なステップ又は通信が省略又は再順序付けされてもよいことを理解するべきである。例えば、いくつかのシナリオでは、アクセスサーバは、予約ＡＣＫ４１８を受信したことに応じてｅＩＣＣＩＤバインド命令４２４を送信してもよく、次いで、バインドＡＣＫ４２６を受信したことに応じてプランアクティブ化命令４２０を送信してもよい。別の例として、いくつかのシナリオでは、例えば、１つのサービスプランのみがセカンダリデバイスに対して利用可能な場合、通信４０２〜４１０の一部又は全てが省略されてもよい。いくつかのそのようなシナリオでは、４１２において受信されたユーザ命令は、通信４０２〜４１０の送信なしに、１つの利用可能なサービスプランに関してプラン追加命令４１４の送信を開始してもよい。
【０１０７】
更なる別の例として、マルチＳＩＭ機能は、プライマリデバイス及びセカンダリデバイスに対して開始されてもよく、セカンダリデバイスはマルチＳＩＭ対応ＳＩＭを既にプロビジョニングされている。いくつかのそのようなシナリオでは、通信４０２〜４１０、４１６、４１８、４２４、４２６、及び４３０〜４３４は省略されてもよい。例えば、４１２におけるユーザ入力によって、プライマリデバイスに、プランアクティブ化命令４２０につながるプラン追加命令４１４を送信させることができる。上述したように、プラン追加命令４１４及びプランアクティブ化命令４２０は、マルチＳＩＭ機能を開始するインジケーションを含んでもよい。この例では、プラン追加命令４１４及びプランアクティブ化命令４２０は、新たなサービスプランを追加するいかなる命令を含まなくてもよい。プランアクティブ化命令４２０を受信したことに応じて、ＨＳＳ／ＴＡＳ／課金システムは、例えば、プライマリデバイス及びセカンダリデバイスの各々のＩＭＳＩ（又は他の識別子）を同一のＭＤＮにマッピングすることによって、マルチＳＩＭ機能を開始してもよい。
【０１０８】
図４がプライマリデバイスをスマートフォンとして、セカンダリデバイスをスマートウォッチとして示しているが、それらの例は限定を意図していないことを理解するべきである。プライマリデバイス及びセカンダリデバイスは、本明細書で定義されるそれらの全範囲を有することが意図される。
図５−クライアントポータルサーバを使用したｅＳＩＭのプロビジョニング又はマルチＳＩＭの開始
【０１０９】
図５は、プライマリデバイス、セカンダリデバイス、アクセスサーバ、電話アプリケーションサーバ（ＴＡＳ）／課金システム、クライアントポータルサーバ、及びｅＳＩＭサーバを含む通信システムに関連して送信される通信５０２〜５４０を示す。通信５０２〜５４０の各々は、通信システムの示された要素の間で送信される１つ以上のメッセージを含んでもよい。プライマリデバイスは、上記議論されたように、ＵＥ１０６などのデバイスを含んでもよい。セカンダリデバイスは、上記議論されたように。セカンダリ無線デバイス１０７などのデバイスを含んでもよい。アクセスサーバは、ＨＳＳ／ＴＡＳ／課金システムへのアクセスを制御するように構成された１つ以上のサーバデバイスを含んでもよい。アクセスサーバは、セルラサービスプロバイダなどのキャリアによって、又はキャリアのエージェントによってホストされてもよい。ＨＳＳ／ＴＡＳ／課金システムは、キャリアによって無線デバイスに対し、課金情報及びサービスなどの無線アカウント情報及びサービスを提供するように構成された１つ以上のサーバデバイスを含んでもよい。ＨＳＳ／ＴＡＳ／課金システムの１つ以上のサーバデバイスは、追加の電話アプリケーションサービスを提供するように更に構成されてもよく、例えば、ホーム加入者サーバとしての機能を果たしてもよい。ＨＳＳ／ＴＡＳ／課金システムは、キャリアによって、又はキャリアのエージェントによってホストされてもよい。ｅＳＩＭサーバは、ｅＳＩＭを管理及びプロビジョニングするように構成された１つ以上のサーバデバイスを含んでもよい。ｅＳＩＭサーバは、セルラサービスプロバイダなどのキャリアによって、キャリアのエージェントによって、又は例えば、プライマリデバイスとセカンダリデバイスとの間の関連付けを検証する能力を有することができるエンティティなどの第三者エンティティによってホストされてもよい。クライアントポータルサーバは、無線デバイスとキャリアとの間の対話を促進するように構成された１つ以上のサーバデバイスを含んでもよい。例えば、クライアントポータルサーバは、プライマリデバイスとｅＳＩＭサーバとの間でセキュリティインタフェースを提供するように構成されてもよい。特に、いくつかのシナリオでは、ｅＳＩＭサーバは、クライアントポータルサーバ及び／又はアクセスサーバなどの信頼できるネットワークエンティティとのみ通信するように構成されてもよい。クライアントポータルサーバは、キャリアによって、キャリアのエージェントによって、又は第三者エンティティによってホストされてもよい。
【０１１０】
クライアントポータルサーバ及びｅＳＩＭサーバを提供及びホストすることによって、第三者エンティティは、キャリアネットワーク上で動作可能なｅＳＩＭのプロビジョニングを提供することができるとともに、前の既存のキャリアネットワークへのキャリアによってなされた変更を減少させる。
【０１１１】
通信５０２〜５１２は、図４の通信４０２〜４１２と同様であってもよく、通信４０２〜４１２の各々の説明が、変更するところは変更して通信５０２〜５１２に適用されてもよい。
【０１１２】
プライマリデバイスは、クライアントポータルサーバにｅＩＣＣＩＤ予約バインド命令（Reserve and Bind eICCID instruction）５１４を送信してもよい。ｅＩＣＣＩＤ予約バインド命令５１４は、選択されたサービスプランを識別することができる。ｅＩＣＣＩＤ予約命令バインド５１４はまた任意選択で、予約されることになるｅＩＣＣＩＤがマルチＳＩＭ機能をサポートするように構成されたｅＳＩＭと関連付けられるべきであることのインジケーションを含んでもよい。ｅＩＣＣＩＤ予約バインド命令５１４はまた、例えば、１つ以上のＩＣＣＩＤ及び／又はＣＳＮを使用して、セカンダリデバイス及び／又はプライマリデバイスを識別することができる。ｅＩＣＣＩＤ予約バインド命令５１４は、５１２においてユーザ入力を受信したことに少なくとも部分的に応じて送信されてもよい。
【０１１３】
ｅＩＣＣＩＤ予約バインド命令５１４を受信したことに応じて、クライアントポータルサーバは、ｅＳＩＭサーバにｅＩＣＣＩＤ予約命令５１６を送信してもよい。ｅＩＣＣＩＤ予約命令５１６は、例えば、１つ以上のＩＣＣＩＤ及び／又はＣＳＮを使用して、セカンダリデバイス及び／又はプライマリデバイスを識別することができる。ｅＩＣＣＩＤ予約命令５１６はまた、選択されたサービスプランを識別することができる。ｅＩＣＣＩＤ予約命令５１６はまた任意選択で、予約されることになるｅＩＣＣＩＤがマルチＳＩＭ機能をサポートするように構成されたｅＳＩＭと関連付けられるべきであることのインジケーションを含んでもよい。ｅＩＣＣＩＤ予約命令５１６を受信したことに応じて、ｅＳＩＭサーバは、セカンダリデバイスに対するｅＩＣＣＩＤを予約してもよく、予約されたｅＩＣＣＩＤは、選択されたサービスプランをサポートするように構成されたｅＳＩＭと関連付けられている。ｅＳＩＭサーバは次いで、クライアントポータルサーバに、セカンダリデバイスに対してｅＩＣＣＩＤが予約されたことを確認応答する予約ＡＣＫ５１８を送信してもよい。予約ＡＣＫ５１８は、予約されたｅＩＣＣＩＤを識別することができる。
【０１１４】
クライアントポータルサーバは、ｅＳＩＭサーバにｅＩＣＣＩＤバインド命令５２０を送信してもよい。ｅＩＣＣＩＤバインド命令５２０は、セカンダリデバイス及び／又は予約されたｅＩＣＣＩＤを識別することができる。クライアントポータルサーバは、予約ＡＣＫ５１８を受信したことに少なくとも部分的に応じて、ｅＩＣＣＩＤバインド命令５２０を送信してもよい。ｅＩＣＣＩＤバインド命令５２０を受信したことに応じて、ｅＳＩＭサーバは、例えば、ｅＩＣＣＩＤをセカンダリデバイスのＣＳＮ又は他の識別子にバインドすることによって、予約されたｅＩＣＣＩＤをセカンダリデバイスにバインドしてもよい。ｅＳＩＭは次いで、クライアントポータルサーバに、ｅＩＣＣＩＤがバインドされたことを確認応答するバインドＡＣＫ５２２を送信してもよい。バインドＡＣＫ５２２は、バインドされたｅＩＣＣＩＤを識別することができる。バインドＡＣＫ５２２は、ＵＲＬを含んでもよく、ＵＲＬから、バインドされたｅＩＣＣＩＤと関連付けられたｅＳＩＭをダウンロードすることができる。
【０１１５】
クライアントポータルサーバは、プライマリデバイスに、ｅＩＣＣＩＤがバインドされたことを確認応答する予約バインドＡＣＫ５２４を送信してもよい。予約バインドＡＣＫ５２４は、バインドされたｅＩＣＣＩＤを識別することができる。クライアントポータルは、バインドＡＣＫ５２２を受信したことに少なくとも部分的に応じて、予約バインドＡＣＫ５２４を送信してもよい。予約バインドＡＣＫ５２４は、ＵＲＬを含んでもよく、ＵＲＬから、バインドされたｅＩＣＣＩＤと関連付けられたｅＳＩＭをダウンロードすることができる。
【０１１６】
プライマリデバイスは、アクセスサーバに、セカンダリデバイスに対するサービスプランをアクティブ化するプラン追加命令５２６を送信してもよい。例えば、プラン追加命令５２６は、セカンダリデバイスに対するサービスプランをプライマリデバイスと関連付けられた既存のアカウントに追加する命令を含んでもよい。プラン追加命令５２６は、例えば、ステップ５１２において選択されたサービスプランを識別することができる。加えて又は代わりに、プラン追加命令５２６は、プライマリデバイス及びセカンダリデバイスに対するマルチＳＩＭ機能を開始するインジケーションを含んでもよい。プラン追加命令５２６はまた、例えば、１つ以上のＩＣＣＩＤ及び／又はＣＳＮを使用して、セカンダリデバイス及び／又はプライマリデバイスを識別することができ、また、バインドされたｅＩＣＣＩＤを識別することができる。プラン追加命令５２６は、予約バインドＡＣＫ５２４を受信したことに少なくとも部分的に応じて送信されてもよい。
【０１１７】
アクセスサーバは、ＨＳＳ／ＴＡＳ／課金システムに、セカンダリデバイスに対するサービスプランをアクティブ化するプランアクティブ化命令５２８を送信してもよい。例えば、プランアクティブ化命令５２８は、セカンダリデバイスに対するサービスプランをプライマリデバイスと関連付けられた既存のアカウントに追加する命令を含んでもよい。プランアクティブ化命令５２８は、選択されたサービスプランを識別することができる。加えて又は代わりに、プランアクティブ化命令５２８は、プライマリデバイス及びセカンダリデバイスに対するマルチＳＩＭ機能を開始するインジケーションを含んでもよい。プランアクティブ化命令５２８はまた、例えば、１つ以上のＩＣＣＩＤ及び／又はＣＳＮを使用して、セカンダリデバイス及び／又はプライマリデバイスを識別することができ、また、バインドされたｅＩＣＣＩＤを識別することができる。アクセスサーバは、プラン追加命令５２６を受信したことに少なくとも部分的に応じて、プランアクティブ化命令５２８を送信してもよい。
【０１１８】
プランアクティブ化命令５２８を受信したことに応じて、ＨＳＳ／ＴＡＳ／課金システムは、セカンダリデバイスに対する選択されたサービスプランをアクティブ化してもよい。例えば、ＨＳＳ／ＴＡＳ／課金システムは、選択されたサービスプランをプライマリデバイスと関連付けられた既存のアカウントに追加してもよい。加えて又は代わりに、ＨＳＳ／ＴＡＳ／課金システムは、プライマリデバイス及びセカンダリデバイスに対するマルチＳＩＭ機能を開始してもよい。例えば、ＨＳＳ／ＴＡＳ／課金システムは、プライマリデバイス及びセカンダリデバイスの各々のＩＭＳＩ（又は他の識別子）を同一のＭＤＮにマッピングしてもよい。ＨＳＳ／ＴＡＳ／課金システムは次いで、アクセスサーバに、選択されたサービスプランがアクティブ化されたこと及び／又はマルチＳＩＭ機能が開始されたことを確認応答するアクティブ化ＡＣＫ５３０を送信してもよい。アクティブ化ＡＣＫ５３０は、ＵＲＬを含んでもよく、ＵＲＬから、バインドされたｅＩＣＣＩＤと関連付けられたｅＳＩＭをダウンロードすることができる。
【０１１９】
アクセスサーバは、プライマリデバイスに、サービスプランがセカンダリデバイスに対してアクティブ化されたこと及び／又はマルチＳＩＭ機能が開始されたことを確認応答するプラン追加ＡＣＫ５３２を送信してもよい。アクセスサーバは、アクティブ化ＡＣＫ５３０を受信したことに少なくとも部分的に応じて、プラン追加ＡＣＫ５３２を送信してもよい。プラン追加ＡＣＫ５３２は、例えば、１つ以上のＩＣＣＩＤ（例えば、予約されたｅＩＣＣＩＤ）及び／又はＣＳＮを使用して、セカンダリデバイス及び／又はプライマリデバイスを識別することができる。プラン追加ＡＣＫ５３２はまた、ＵＲＬを含んでもよく、ＵＲＬから、バインドされたｅＩＣＣＩＤと関連付けられたｅＳＩＭをダウンロードすることができる。代わりに、レスポンス５０８においてなどの別のポイントにおいてＵＲＬが提供されてもよく、又はプライマリデバイスのソフトウェア構成においてＵＲＬが事前定義されてもよい。
【０１２０】
通信５３４、５３６、５３８及び５４０は、図４の通信４３０、４３２、４３４及び４３６とそれぞれ同様であってもよく、通信４３０、４３２、４３４及び４３６の各々の説明が、変更するところは変更して通信５３４、５３６、５３８及び５４０に適用されてもよい。
【０１２１】
図４と同様に、図５の方法は、セカンダリデバイスがｅＳＩＭのその自身のプロビジョニングを開始することを可能にするように適合されてもよい。
【０１２２】
図５、及びそれについての前の説明は例示に過ぎず、様々なステップ又は通信が省略又は再順序付けされてもよいことを理解するべきである。例えば、いくつかのシナリオでは、例えば、１つのサービスプランのみがセカンダリデバイスに対して利用可能な場合、通信５０２〜５１０の一部又は全てが省略されてもよい。いくつかのそのようなシナリオでは、５１２において受信されたユーザ命令は、通信５０２〜５１０の送信なしに、１つの利用可能なサービスプランに関してｅＩＣＣＩＤ予約バインド命令５１４の送信を開始してもよい。
【０１２３】
別の例として、マルチＳＩＭ機能は、プライマリデバイス及びセカンダリデバイスに対して開始されてもよく、セカンダリデバイスはマルチＳＩＭ対応ＳＩＭを既にプロビジョニングされている。いくつかのそのようなシナリオでは、通信５０２〜５１０、５１４〜５２４、及び５３４〜５４０は省略されてもよい。例えば、５１２におけるユーザ入力によって、プライマリデバイスに、プランアクティブ化命令５２８につながるプラン追加命令５２６を送信させることができる。上述したように、プラン追加命令５２６及びプランアクティブ化命令５２８は、マルチＳＩＭ機能を開始するインジケーションを含んでもよい。この例では、プラン追加命令５２６及びプランアクティブ化命令５２８は、新たなサービスプランを追加するいかなる命令を含まなくてもよい。プランアクティブ化命令５２８を受信したことに応じて、ＨＳＳ／ＴＡＳ／課金システムは、プライマリデバイス及びセカンダリデバイスの各々のＩＭＳＩ（又は他の識別子）を同一のＭＤＮにマッピングすることによって、マルチＳＩＭ機能を開始してもよい。
【０１２４】
図５がプライマリデバイスをスマートフォンとして、セカンダリデバイスをスマートウォッチとして示しているが、それらの例は限定を意図していないことを理解するべきである。プライマリデバイス及びセカンダリデバイスは、本明細書で定義されるそれらの全範囲を有することが意図される。
図６−ＳＭＳサーバを使用したｅＳＩＭのプロビジョニング又はマルチＳＩＭの開始
【０１２５】
図６は、プライマリデバイス、セカンダリデバイス、ＳＭＳサーバ、電話アプリケーションサーバ（ＴＡＳ）／課金システム、クライアントポータルサーバ、及びｅＳＩＭサーバを含む通信システムに関連して送信される通信６０２〜６４４を示す。通信６０２〜６４４の各々は、通信システムの示された要素の間で送信される１つ以上のメッセージを含んでもよい。プライマリデバイス、セカンダリデバイス、ＨＳＳ／ＴＡＳ／課金システム、クライアントポータルサーバ、及びｅＳＩＭサーバは、図５に関して説明されてもよい。ＳＭＳサーバは、ＨＳＳ／ＴＡＳ／課金システムへのアクセスを制御するように構成された１つ以上のサーバデバイスを含んでもよい。特に、ＳＭＳサーバは、インターネットプロトコル（ＩＰ）ショートメッセージゲートウェイ（ＩＰ−ＳＭ−ＧＷ）を含んでもよく、ＳＭＳメッセージを受信及び処理するように構成されてもよい。ＳＭＳサーバは、セルラサービスプロバイダなどのキャリアによって、又はキャリアのエージェントによってホストされてもよい。
【０１２６】
クライアントポータルサーバ及びｅＳＩＭサーバを提供及びホストすることによって、第三者エンティティは、キャリアネットワーク上で動作可能なｅＳＩＭのプロビジョニングを提供することができ、前の既存のキャリアネットワークへのキャリアによってなされた変更を減少させる。より特化したアクセスサーバではなく、ＩＰ−ＳＭ−ＧＷなどのＳＭＳサーバを利用することは更に、キャリアによってなされた変更、及びキャリアによって被られる結果として生じるオーバヘッドを減少させることができる。
【０１２７】
通信６０２〜６１２は、図４の通信４０２〜４１２と同様であってもよく、通信４０２〜４１２の各々の説明が、変更するところは変更して通信６０２〜６１２に適用されてもよい。
【０１２８】
プライマリデバイスは、クライアントポータルサーバに予約命令（Reserve instruction）６１４を送信してもよい。予約命令６１４は、選択されたサービスプランを識別することができる。予約命令６１４はまた、例えば、１つ以上のＩＣＣＩＤ及び／又はＣＳＮを使用して、セカンダリデバイス及び／又はプライマリデバイスを識別することができる。予約命令６１４は、６１２においてユーザ入力を受信したことに少なくとも部分的に応じて送信されてもよい。
【０１２９】
予約命令６１４を受信したことに応じて、クライアントポータルサーバは、ｅＳＩＭサーバにｅＩＣＣＩＤ予約命令６１６を送信してもよい。ｅＩＣＣＩＤ予約命令６１６は、例えば、１つ以上のＩＣＣＩＤ及び／又はＣＳＮを使用して、セカンダリデバイス及び／又はプライマリデバイスを識別することができる。ｅＩＣＣＩＤ予約命令６１６はまた、選択されたサービスプランを識別することができる。ｅＩＣＣＩＤ予約命令６１４はまた任意選択で、予約されることになるｅＩＣＣＩＤがマルチＳＩＭ機能をサポートするように構成されたｅＳＩＭと関連付けられるべきであることのインジケーションを含んでもよい。ｅＩＣＣＩＤ予約命令６１６を受信したことに応じて、ｅＳＩＭサーバは、セカンダリデバイスに対するｅＩＣＣＩＤを予約してもよく、予約されたｅＩＣＣＩＤは、選択されたサービスプランをサポートするように構成されたｅＳＩＭと関連付けられている。ｅＳＩＭサーバは次いで、クライアントポータルサーバに、セカンダリデバイスに対してｅＩＣＣＩＤが予約されたことを確認応答する予約ＡＣＫ６１８を送信してもよい。予約ＡＣＫ６１８は、予約されたｅＩＣＣＩＤを識別することができる。
【０１３０】
クライアントポータルサーバは、プライマリデバイスに、ｅＩＣＣＩＤがバインドされたことを確認応答する予約ＡＣＫ６２０を送信してもよい。予約ＡＣＫ６２０は、バインドされたｅＩＣＣＩＤを識別することができる。クライアントポータルは、予約ＡＣＫ６１８を受信したことに少なくとも部分的に応じて、予約ＡＣＫ６２０を送信してもよい。
【０１３１】
プライマリデバイスは、ＳＭＳサーバに、セカンダリデバイスに対するサービスプランをアクティブ化するインジケーションを含むプラン追加ＳＭＳ（Add Plan SMS）６２２を送信してもよい。例えば、プラン追加ＳＭＳ６２２は、セカンダリデバイスに対するサービスプランをプライマリデバイスと関連付けられた既存のアカウントに追加するインジケーションを含んでもよい。プラン追加ＳＭＳ６２２は、選択されたサービスプランを識別することができる。加えて又は代わりに、プラン追加ＳＭＳ６２２は、プライマリデバイス及びセカンダリデバイスに対するマルチＳＩＭ機能を開始するインジケーションを含んでもよい。プラン追加ＳＭＳ６２２はまた、例えば、１つ以上のＩＣＣＩＤ及び／又はＣＳＮを使用して、セカンダリデバイス及び／又はプライマリデバイスを識別することができ、予約されたｅＩＣＣＩＤを更に含んでもよい。プラン追加ＳＭＳ６２２は、モバイル発信（ＭＯ）バックグランド（例えば、クラス０）ＳＭＳであってもよい。プラン追加ＳＭＳ６２２は、予約ＡＣＫ６２０を受信したことに少なくとも部分的に応じて送信されてもよい。
【０１３２】
ＳＭＳサーバは、ＨＳＳ／ＴＡＳ／課金システムに、セカンダリデバイスに対するサービスプランをアクティブ化するプランアクティブ化命令６２４を送信してもよい。例えば、プランアクティブ化命令６２４は、セカンダリデバイスに対するサービスプランをプライマリデバイスと関連付けられた既存のアカウントに追加する命令を含んでもよい。プランアクティブ化命令６２４は、選択されたサービスプランを識別することができる。加えて又は代わりに、プランアクティブ化命令５２８は、プライマリデバイス及びセカンダリデバイスに対するマルチＳＩＭ機能を開始するインジケーションを含んでもよい。プランアクティブ化命令６２４はまた、例えば、１つ以上のＩＣＣＩＤ及び／又はＣＳＮを使用して、セカンダリデバイス及び／又はプライマリデバイスを識別することができ、また、バインドされたｅＩＣＣＩＤを識別することができる。ＳＭＳサーバは、プラン追加ＳＭＳ６２２を受信したことに少なくとも部分的に応じて、プランアクティブ化命令６２４を送信してもよい。
【０１３３】
プランアクティブ化命令６２４を受信したことに応じて、ＨＳＳ／ＴＡＳ／課金システムは、セカンダリデバイスに対する選択されたサービスプランをアクティブ化してもよい。例えば、ＨＳＳ／ＴＡＳ／課金システムは、選択されたサービスプランをプライマリデバイスと関連付けられた既存のアカウントに追加してもよい。加えて又は代わりに、ＨＳＳ／ＴＡＳ／課金システムは、プライマリデバイス及びセカンダリデバイスに対するマルチＳＩＭ機能を開始してもよい。例えば、ＨＳＳ／ＴＡＳ／課金システムは、プライマリデバイス及びセカンダリデバイスの各々のＩＭＳＩ（又は他の識別子）を同一のＭＤＮにマッピングしてもよい。ＨＳＳ／ＴＡＳ／課金システムは次いで、アクセスサーバに、選択されたサービスプランがアクティブ化されたこと及び／又はマルチＳＩＭ機能が開始されたことを確認応答するアクティブ化ＡＣＫ６２６を送信してもよい。アクティブ化ＡＣＫ６２６は、ＵＲＬを含んでもよく、ＵＲＬから、バインドされたｅＩＣＣＩＤと関連付けられたｅＳＩＭをダウンロードすることができる。
【０１３４】
ＳＭＳサーバは、プライマリデバイスに、サービスプランがセカンダリデバイスに対してアクティブ化されたこと及び／又はマルチＳＩＭ機能が開始されたことを確認応答するプランアクティブ化済みＳＭＳ（Plan Activated SMS）６２８を送信してもよい。ＳＭＳサーバは、アクティブ化ＡＣＫ６２６を受信したことに少なくとも部分的に応じて、プランアクティブ化済みＳＭＳ６２８を送信してもよい。プランアクティブ化済みＳＭＳ６２８は、例えば、１つ以上のＩＣＣＩＤ（例えば、予約されたｅＩＣＣＩＤ）及び／又はＣＳＮを使用して、セカンダリデバイス及び／又はプライマリデバイスを識別することができる。プランアクティブ化済みＳＭＳ６２８はまた、ＵＲＬを含んでもよく、ＵＲＬから、バインドされたｅＩＣＣＩＤと関連付けられたｅＳＩＭをダウンロードすることができる。代わりに、レスポンス６０８においてなどの別のポイントにおいてＵＲＬが提供されてもよく、又はプライマリデバイスのソフトウェア構成においてＵＲＬが事前定義されてもよい。プランアクティブ化済みＳＭＳ６２８は、モバイル終端（ＭＴ）バックグランド（例えば、クラス０）ＳＭＳであってもよい。
【０１３５】
プライマリデバイスは、クライアントポータルサーバにバインド命令６３０を送信してもよい。バインド命令６３０は、プライマリデバイス、セカンダリデバイス及び／又は予約されたｅＩＣＣＩＤを識別することができる。プライマリデバイスは、プランアクティブ化済みＳＭＳ６２８を受信したことに少なくとも部分的に応じて、バインド命令６３０を送信してもよい。
【０１３６】
クライアントポータルサーバは、ｅＳＩＭサーバにｅＩＣＣＩＤバインド命令６３２を送信してもよい。ｅＩＣＣＩＤバインド命令６３２は、セカンダリデバイス及び／又は予約されたｅＩＣＣＩＤを識別することができる。クライアントポータルサーバは、バインド命令６３０を受信したことに少なくとも部分的に応じて、ｅＩＣＣＩＤバインド命令６３２を送信してもよい。ｅＩＣＣＩＤバインド命令６３２を受信したことに応じて、ｅＳＩＭサーバは、例えば、ｅＩＣＣＩＤをセカンダリデバイスのＣＳＮ又は他の識別子にバインドすることによって、予約されたｅＩＣＣＩＤをセカンダリデバイスにバインドしてもよい。ｅＳＩＭは次いで、クライアントポータルサーバに、ｅＩＣＣＩＤがバインドされたことを確認応答するバインドＡＣＫ６３４を送信してもよい。バインドＡＣＫ６３４は、バインドされたｅＩＣＣＩＤを識別することができる。バインドＡＣＫ６３４はまた、ＵＲＬを含んでもよく、ＵＲＬから、バインドされたｅＩＣＣＩＤと関連付けられたｅＳＩＭをダウンロードすることができる。
【０１３７】
クライアントポータルサーバは、プライマリデバイスに、ｅＩＣＣＩＤがバインドされたことを確認応答するバインドＡＣＫ６３６を送信してもよい。バインドＡＣＫ６３６は、バインドされたｅＩＣＣＩＤを識別することができる。バインドＡＣＫ６３６はまた、ＵＲＬを含んでもよく、ＵＲＬから、バインドされたｅＩＣＣＩＤと関連付けられたｅＳＩＭをダウンロードすることができる。クライアントポータルは、バインドＡＣＫ６３４を受信したことに少なくとも部分的に応じて、バインドＡＣＫ６３６を送信してもよい。
【０１３８】
通信６３８、６４０、６４２及び６４４は、図４の通信４３０、４３２、４３４及び４３６とそれぞれ同様であってもよく、通信４３０、４３２、４３４及び４３６の各々の説明が、変更するところは変更して通信６３８、６４０、６４２及び６４４に適用されてもよい。
【０１３９】
図５及び図６は、同様のネットワーク構造であるが、異なるサービスフローを示すことに留意されてもよい。特に、図５は、プランアクティブ化命令がキャリアを通じてＨＳＳ／ＴＡＳ／課金システムに送信される前にｅＩＣＣＩＤが予約及びバインドの両方がされる実施形態を示す。一方、図６は、プランアクティブ化命令が予約されているｅＩＣＣＩＤとバインドされているｅＩＣＣＩＤとの間でキャリアを通じてＨＳＳ／ＴＡＳ／課金システムに送信される実施形態を示す。それらの２つのサービスフローのいずれかがアクセスサーバ（図５にある）又はＳＭＳサーバ（図６にある）と共に適用されてもよいことを認識するべきである。
【０１４０】
図４と同様に、図６の方法は、セカンダリデバイスがｅＳＩＭのその自身のプロビジョニングを開始することを可能にするように適合されてもよい。
【０１４１】
図６、及びそれについての前の説明は例示に過ぎず、様々なステップ又は通信が省略又は再順序付けされてもよいことを理解するべきである。例えば、いくつかのシナリオでは、例えば、１つのサービスプランのみがセカンダリデバイスに対して利用可能な場合、通信６０２〜６１０の一部又は全てが省略されてもよい。いくつかのそのようなシナリオでは、６１２において受信されたユーザ命令は、通信６０２〜６１０の送信なしに、１つの利用可能なサービスプランに関して予約命令６１４の送信を開始してもよい。
【０１４２】
別の例として、マルチＳＩＭ機能は、プライマリデバイス及びセカンダリデバイスに対して開始されてもよく、セカンダリデバイスはマルチＳＩＭ対応ＳＩＭを既にプロビジョニングされている。いくつかのそのようなシナリオでは、通信５０２〜５１０、６１４〜６２０、６３０〜６３６、及び６３８〜６４４は省略されてもよい。例えば、６１２におけるユーザ入力によって、プライマリデバイスに、プランアクティブ化命令６２４につながるプラン追加ＳＭＳ６２２を送信させることができる。上述したように、プラン追加ＳＭＳ６２２及びプランアクティブ化命令６２４は、マルチＳＩＭ機能を開始するインジケーションを含んでもよい。この例では、プラン追加ＳＭＳ６２２及びプランアクティブ化命令６２４は、新たなサービスプランを追加するいかなる命令を含まなくてもよい。プランアクティブ化命令６２４を受信したことに応じて、ＨＳＳ／ＴＡＳ／課金システムは、例えば、プライマリデバイス及びセカンダリデバイスの各々のＩＭＳＩ（又は他の識別子）を同一のＭＤＮにマッピングすることによって、マルチＳＩＭ機能を開始してもよい。
【０１４３】
図６がプライマリデバイスをスマートフォンとして、セカンダリデバイスをスマートウォッチとして示しているが、それらの例は限定を意図していないことを理解するべきである。プライマリデバイス及びセカンダリデバイスは、本明細書で定義されるそれらの全範囲を有することが意図される。
図７−拡張クライアントポータルサーバを使用したｅＳＩＭのプロビジョニング又はマルチＳＩＭの開始
【０１４４】
図７は、プライマリデバイス、セカンダリデバイス、アクセスサーバ、電話アプリケーションサーバ（ＴＡＳ）／課金システム、クライアントポータルサーバ、及びｅＳＩＭサーバを含む通信システムに関連して送信される通信７０２〜７４８を示す。通信７０２〜７４８の各々は、通信システムの示された要素の間で送信される１つ以上のメッセージを含んでもよい。図５に関して実質的に議論されたように、示される要素の各々が定義されてもよく、動作してもよい。しかしながら、図７の例では、クライアントポータルサーバは、セカンダリデバイスに対するサービスプランをアクティブ化し、マルチＳＩＭ機能を開始する際に追加の機能を実行するように更に構成されてもよい。それらの機能を実行するようにクライアントポータルサーバを構成することによって、図７の例は、図５の例と比較して、プライマリデバイスに対する処理及び通信負荷を削減することができる。
【０１４５】
７０２において、プライマリデバイスは、セカンダリデバイスに対するセルラ機能を開始する要求を示す入力をユーザから受信してもよい。例えば、７０２の入力は、セカンダリデバイスに対するセルラサービスプランをアクティブ化し、ｓＳＩＭをセカンダリデバイスにプロビジョニングし、及び／又はプライマリデバイスとセカンダリデバイスとの間でマルチＳＩＭ機能を開始することを要求してもよい。７０２の入力はまた、それに対してｅＳＩＭが動作するべきキャリアネットワークを示すことができる。通信７０２、又は同等の通信は、それらの図に示されないが、図４〜６の前の例のいずれかの開始に含まれてもよいことを理解するべきである。
【０１４６】
プライマリデバイスは、例えば、７０２のユーザ入力に応じて、アクセスサーバに、もしあれば、どのセカンダリデバイスがプライマリデバイス（若しくはプライマリデバイスの特定のＳＩＭ）とのマルチＳＩＭ機能に対して現在構成されていること（若しくはいくつかのシナリオでは、前に構成されていたこと）、及び／又はどのセカンダリデバイスがプライマリデバイス（若しくはプライマリデバイスの特定のＳＩＭ）とサービスプランを現在共有していることに関する情報についてのクエリ７０４を送信してもよい。クエリ７０４は、ＩＣＣＩＤ又はＩＭＳＩなどの、プライマリデバイス及び／又はプライマリデバイスのＳＩＭの識別子を含んでもよい。
【０１４７】
クエリ７０４を受信したことに応じて、アクセスサーバは、ＨＳＳ／ＴＡＳ／課金システムにクエリ７０６を送信してもよく、それは、クエリ７０４に従って、ＨＳＳ／ＴＡＳ／課金システムに、プライマリデバイスと関連付けられたセカンダリデバイスに関する情報についての要求を中継してもよい。
【０１４８】
クエリ７０６を受信したことに応じて、ＨＳＳ／ＴＡＳ／課金システムは、要求された情報を識別してもよく、アクセスサーバにレスポンス７０８を提供してもよい。例えば、レスポンス７０８は、プライマリデバイスとのマルチＳＩＭ機能に対して現在構成されており、及び／又はプライマリデバイスとサービスプランを現在共有しているゼロ以上のセカンダリデバイスのリストを含んでもよい。いくつかのシナリオでは、レスポンス７０８は、第２のデバイスのＣＳＮによって、及び／又はＣＳＮと関連付けられたＳＩＭのＩＣＣＩＤ（例えば、ｅＳＩＭのｅＩＣＣＩＤ）によってリストに含まれるセカンダリデバイスを識別することができる。いくつかのシナリオでは、ゼロ以上のセカンダリデバイスのリストは、通信７０２において指定されたキャリアネットワーク上でプライマリデバイスとのマルチＳＩＭ機能に対して現在構成されており、及び／又はプライマリデバイスとサービスプランを現在共有しているセカンダリデバイスのみを含んでもよい。
【０１４９】
レスポンス７０８を受信したことに応じて、アクセスサーバは、プライマリデバイスにレスポンス７１０を送信してもよく、それは、クエリ７０４に従って、プライマリデバイスに、例えば、ゼロ以上のセカンダリデバイスを含む、プライマリデバイスと関連付けられたセカンダリデバイスに関する情報を中継してもよい。
【０１５０】
レスポンス７１０を受信したことに応じて、プライマリデバイスは、セカンダリデバイスがプライマリデバイスとのマルチＳＩＭ機能に対して既に構成されており、及び／又はプライマリデバイスとサービスプランを現在共有していることをレスポンス７１０が示すかを判定してもよい。例えば、プライマリデバイスは、セカンダリデバイスのＣＳＮ及び／若しくは関連するＩＣＣＩＤ、又は他の識別子がゼロ以上のセカンダリデバイスのリストに含まれるかを判定してもよい。
【０１５１】
プライマリデバイスが、セカンダリデバイスがプライマリデバイスとのマルチＳＩＭ機能に対して既に構成されており、及び／又はプライマリデバイスとサービスプランを現在共有していることをレスポンス７１０が示すと判定する場合、プライマリデバイスは次いで、手順を終了してもよく、いくつかのシナリオでは、ユーザに通知してもよい。
【０１５２】
プライマリデバイスが、セカンダリデバイスがプライマリデバイスとのマルチＳＩＭ機能に対して既に構成されており、及び／又はプライマリデバイスとサービスプランを現在共有していることをレスポンス７１０が示すと判定する場合、プライマリデバイスは次いで、アクセスサーバに、セカンダリデバイスに対するセルラサインアップを開始する開始要求７１２を送信してもよい。
【０１５３】
通信７０４〜７１０、又は同等の通信は、それらの図に示されないが、図４〜６の前の例のいずれかの開始に含まれてもよいことを理解するべきである。特に、ステップ４０２、５０２、又は６０２は、いくつかのシナリオでは、通信７０２〜７１０に続いて、セカンダリデバイスがプライマリデバイスとのマルチＳＩＭ機能に対して未だ構成されておらず、及び／又はプライマリデバイスとサービスプランを現在共有していないことをレスポンス７１０が示すとプライマリデバイスが判定したことに応じて実行されてもよい。
【０１５４】
開始要求７１２は、セカンダリデバイスに対するセルラサービスプランをアクティブ化する要求、並びに／又はｅＳＩＭをセカンダリデバイスにプロビジョニングする手順及び／若しくはプライマリデバイスとセカンダリデバイスとの間でマルチＳＩＭ機能を開始する手順を開始する要求を含んでもよい。
【０１５５】
開始要求７１２を受信したことに応じて、アクセスサーバは、プライマリデバイスにサインアップ情報メッセージ７１４を送信してもよい。サインアップ情報メッセージ７１４は、要求されたセルラサインアップ手順を進行させるための情報を含んでもよい。例えば、サインアップ情報メッセージ７１４は、クライアントポータルサーバのＵＲＬ又は他のアドレスを含んでもよい。サインアップ情報メッセージ７１４は、例えば、アクセスサーバを介した、プライマリデバイスとセルラネットワークとの間の既存の通信セッションに関するセッションデータを更に含んでもよい。
【０１５６】
更に、開始要求７１２を受信したことに応じて、アクセスサーバは、７１６において、クライアントポータルサーバに、プライマリデバイスとセルラネットワークとの間の既存の通信セッションに関するセッションデータを提供してもよい。７１６においてクライアントポータルサーバに通信されるセッションデータは、サインアップ情報メッセージ７１４に含まれるものと同一であってもよく、又は異なる／追加のセッション情報を含んでもよい。いくつかのシナリオでは、共有メモリ（図示せず）は、アクセスサーバ及びクライアントポータルサーバの両方にアクセス可能であってもよい。そのようなシナリオでは、通信７１６は、アクセスサーバがセッションデータを共有メモリに記憶すること、及びクライアントポータルサーバがセッションデータを共有メモリから取り出すことを含んでもよい。いくつかのシナリオでは、クライアントポータルサーバは、例えば、プライマリデバイスがクライアントポータルサーバとの通信セッションを継続することを要求する、プライマリデバイスからの通信に応じてなど、後にセッションデータを共有メモリから取り出してもよい。通信７１６は、他のときにおけるアクセスサーバとクライアントポータルサーバとの間でセッションデータ又は他の情報の追加の受け渡しを含んでもよい。
【０１５７】
サインアップ情報メッセージ７１４を受信したことに応じて、プライマリデバイスは、クライアントポータルサーバにポータル要求７１８を送信してもよい。ポータル要求７１８は、７０２において示されたセカンダリデバイスに対するセルラ機能を開始する要求に関する情報を含んでもよい。ポータル要求７１８は、サインアップ情報メッセージ７１４に含まれるセッション情報を更に含んでもよい。いくつかのシナリオでは、ポータル要求７１８に含まれるセッション情報は、プライマリデバイスとセルラネットワークとの間の通信セッションを識別することができ、それによって、クライアントポータルサーバが通信セッションに関する追加のセッション情報をアクセスサーバから取り出す（例えば、共有メモリを介して）ことが可能になる。
【０１５８】
ポータル要求７１８を受信したことに応じて、クライアントポータルサーバは、プライマリデバイスにポータルコンテンツ７２０を送信してもよい。ポータルコンテンツは、セルラサインアップ処理に関する情報を提示するための、ＨＴＭＬコード又は他のマークアップ言語コードなどのコードを含んでもよい。
【０１５９】
ポータルコンテンツ７２０を受信したことに応じて、プライマリデバイスは、７２２において、例えば、ウェブブラウザにおいて、ポータルコンテンツをユーザに表示してもよい。プライマリデバイスは次いで、ユーザ入力７２４を受信してもよく、ユーザ入力を同意メッセージ７２６として渡してもよい。
【０１６０】
７２２において表示されたポータルコンテンツは、図４に関連して、４１０において説明されたものと形式及び内容において同様又は同一であってもよい。例えば、プライマリデバイスは、セカンダリデバイスに対して利用可能なサービスプランのリスト並びに／又は契約条項及び条件などの他の情報を含むグラフィカルユーザインタフェースを表示してもよい。同様に、７２４において受信されたユーザ入力は、４１２において説明されたものと形式及び内容において同様又は同一であってもよい。例えば、ユーザ入力７２４は、利用可能なサービスプランのうちの１つを選択し、条項及び条件を受け付けるなどをすることができる。加えて、通信７２２及び７２４は、通信７１０及び７１２と同一の方式で反復的であってもよい。
【０１６１】
しかしながら、図４の例とは対照的に、図７の例では、プライマリデバイスは、クライアントポータルサーバとユーザとの間でこの双方向インタフェースを提供する際に単にシンクライアントとしての機能を果たしてもよい。例えば、図４の例では、プライマリデバイスは、アクセスサーバから受信された生の情報に基づいてユーザインタフェースを生成してもよく、図７の例では、クライアントポータルサーバは、そのようなユーザインタフェースを生成してもよく、ユーザインタフェースを定義したコードをポータルコンテンツ７２０として通信してもよい。プライマリデバイスは次いで、ポータルコンテンツ７２０に含まれるコードによって定義されたユーザインタフェースをレンダリングしてもよい（例えば、ウェブブラウザにおいて）。同様に、プライマリデバイスは、生のユーザ入力７２４を同意メッセージ７２６としてクライアントポータルサーバに渡してもよい。それゆえ、プライマリデバイスは、サービスプランに関する知識などの、ユーザインタフェースにおいて提示された情報に関する知識を受信又は処理する必要がない。
【０１６２】
加えて、このようにして、サービスプランをアクティブ化し、ｅＳＩＭをセカンダリデバイスにプロビジョニングし、及び／又はプライマリデバイスとセカンダリデバイスとの間でマルチＳＩＭ機能を開始する処理からプライマリデバイスを大きく除去することができる。そのような処理を実行する機能的ステップの多くは代わりに、以下のようにクライアントポータルサーバによって実施されてもよい。
【０１６３】
いくつかのシナリオでは、同意メッセージ７２６を受信したことに応じて、クライアントポータルサーバは、セカンダリデバイスに対するｅＳＩＭのｅＩＣＣＩＤを予約及びバインドしてもよい。特に、クライアントポータルサーバは、ｅＳＩＭサーバに、図５に関して開示されたような、ｅＩＣＣＩＤ予約命令５１６と同様又は同一であることができるｅＩＣＣＩＤ予約命令７２８を送信してもよい。それに応じて、ｅＳＩＭサーバは、クライアントポータルサーバに、予約ＡＣＫ５１８と同様又は同一であることができる予約ＡＣＫ７３０を送信してもよい。クライアントポータルサーバは次いで、ｅＳＩＭサーバに、ｅＩＣＣＩＤバインド命令５２０と同様又は同一であることができるｅＩＣＣＩＤバインド命令７３２を送信してもよく、それに応じて、ｅＳＩＭサーバは、クライアントポータルサーバに、バインドＡＣＫ５２２と同様又は同一であることができるバインドＡＣＫ７３４を送信してもよい。
【０１６４】
他のシナリオでは、同意メッセージ７２６及び／又はセッション情報７１６は、セカンダリデバイスが既にｅＳＩＭをプロビジョニングされたことを示すことができる。そのようなシナリオでは、ステップ７２８〜７３４が省略されてもよい。
【０１６５】
ｅＩＣＣＩＤがセカンダリデバイスに対してバインドされると（例えば、バインドＡＣＫ７３４に応じて）、クライアントポータルサーバは、ＨＳＳ／ＴＡＳ／課金システムに、セカンダリデバイスに対するサービスプランをアクティブ化し、及び／又はプライマリデバイスとセカンダリデバイスとの間でマルチＳＩＭ機能を開始するプラン追加命令７３６を送信してもよい。プラン追加命令７３６は、図５の例にあるように、プラン追加命令７３６が、アクセスサーバを通じてプライマリデバイスによってＨＳＳ／ＴＡＳ／課金システムに渡されるのではなく、クライアントポータルサーバによってＨＳＳ／ＴＡＳ／課金システムに渡されてもよいことを除き、プラン追加命令５２６と同様又は同一であってもよい。
【０１６６】
プラン追加命令７３６を受信したことに応じて、ＨＳＳ／ＴＡＳ／課金システムは、セカンダリデバイスに対する選択されたサービスプランをアクティブ化してもよい。例えば、ＨＳＳ／ＴＡＳ／課金システムは、選択されたサービスプランをプライマリデバイスと関連付けられた既存のアカウントに追加してもよい。加えて又は代わりに、ＨＳＳ／ＴＡＳ／課金システムは、プライマリデバイスとセカンダリデバイスとの間でマルチＳＩＭ機能を開始してもよい。例えば、ＨＳＳ／ＴＡＳ／課金システムは、プライマリデバイス及びセカンダリデバイスの各々のＩＭＳＩ（又は他の識別子）を同一のＭＤＮにマッピングしてもよい。ＨＳＳ／ＴＡＳ／課金システムは次いで、アクセスサーバに、選択されたサービスプランがアクティブ化されたこと及び／又はマルチＳＩＭ機能が開始されたことを確認応答するアクティブ化ＡＣＫ７３８を送信してもよい。アクティブ化ＡＣＫ７３８は、ＵＲＬ又は他のアドレスを含んでもよく、それらから、バインドされたｅＩＣＣＩＤと関連付けられたｅＳＩＭをダウンロードすることができる。
【０１６７】
クライアントポータルサーバは、例えば、アクティブ化ＡＣＫ７３８を受信したことに応じて、プライマリデバイスにサインアップ完了ＡＣＫ（Signup Completion ACK）７４０を送信してもよい。サインアップ完了ＡＣＫ７４０は、サービスプランがセカンダリデバイスに対してアクティブ化されたこと及び／又はマルチＳＩＭ機能が開始されたことを確認応答することができる。サインアップ完了ＡＣＫ７４０は、バインドされたｅＩＣＣＩＤのインジケーション及び／又はＵＲＬ若しくは他のアドレスを更に含んでもよく、それらから、バインドされたｅＩＣＣＩＤと関連付けられたｅＳＩＭをダウンロードすることができる。
【０１６８】
通信７４２、７４４及び７４６は、図４の通信４３０、４３２、及び４３４とそれぞれ同様であってもよく、通信４３０、４３２及び４３４の各々の説明が、変更するところは変更して通信７４２、７４４及び７４６に適用されてもよい。
【０１６９】
図４と同様に、図７の方法は、セカンダリデバイスがｅＳＩＭのその自身のプロビジョニングを開始することを可能にするように適合されてもよい。
【０１７０】
図７、及びそれについての前の説明は例示に過ぎず、様々なステップ又は通信が省略又は再順序付けされてもよいことを理解するべきである。
【０１７１】
図７がプライマリデバイスをスマートフォンとして、セカンダリデバイスをスマートウォッチとして示しているが、それらの例は限定を意図していないことを理解するべきである。プライマリデバイス及びセカンダリデバイスは、本明細書で定義されるそれらの全範囲を有することが意図される。
図８−修正されたｅＳＩＭサーバを使用したｅＳＩＭのプロビジョニング又はマルチＳＩＭの開始
【０１７２】
図８は、プライマリデバイス、セカンダリデバイス、アクセスサーバ、電話アプリケーションサーバ（ＴＡＳ）／課金システム、クライアントポータルサーバ、及びｅＳＩＭサーバを含む通信システムに関連して送信される通信８０２〜８４２を示す。通信８０２〜８４２の各々は、通信システムの示された要素の間で送信される１つ以上のメッセージを含んでもよい。図７に関して実質的に議論されたように、示される要素の各が定義されてもよく、動作してもよい。しかしながら、図８の例では、ｅＳＩＭサーバは、セカンダリデバイスに対するｅＩＣＣＩＤの自動割り当てを実行するように更に構成されてもよい。
【０１７３】
通信８０２〜８１０は、図７の通信７０２〜７１０と同様であってもよく、通信７０２〜７１０の各々の説明が、変更するところは変更して通信８０２〜８１０に適用されてもよい。
【０１７４】
レスポンス８１０を受信したことに応じて、プライマリデバイスは、セカンダリデバイスにｅＳＩＭダウンロード命令８１２を送信してもよい。ｅＳＩＭダウンロード命令８１２は、ｅＳＩＭをｅＳＩＭサーバから取得するようにセカンダリデバイスに命令することができる。ｅＳＩＭダウンロード命令８１２は、それに対してｅＳＩＭが動作可能であるべきキャリアネットワークのインジケーションを含んでもよく、それは、例えば、８０２において、プライマリデバイスに提供されていてもよい。セカンダリデバイスがキャリアネットワーク上で通信のためにｅＳＩＭを未だプロビジョニングされていないので、プライマリデバイスは、いくつかのシナリオでは、ＷＬＡＮネットワーク又はＢｌｕｅｔｏｏｔｈ接続などの短距離通信接続などのセカンダリ通信チャネルを介してｅＳＩＭダウンロード命令８１２を送信してもよい。
【０１７５】
ｅＳＩＭダウンロード命令８１２を受信したことに応じて、セカンダリデバイスは、ｅＳＩＭサーバに、セカンダリデバイスの識別子、例えば、セカンダリデバイスのＣＳＮを含むことができるダウンロード開始命令８１４を送信してもよい。ダウンロード開始命令８１４は、プライマリデバイスの識別子及び／若しくはプライマリデバイスのＳＩＭを更に含んでもよく、並びに／又はそれに対してセカンダリデバイスに対してプロビジョニングされることになるｅＳＩＭが動作可能であるべきキャリアネットワークのインジケーションも含んでもよい。ダウンロード開始命令８１４は、セカンダリデバイスが現在インストールされているｅＳＩＭのリスト（例えば、ｅＩＣＣＩＤ又はｅＳＩＭと関連付けられた他の識別子のリスト）を更に含んでもよい。
【０１７６】
ダウンロード開始命令８１４を受信したことに応じて、ｅＳＩＭサーバは、ｅＳＩＭがセカンダリデバイスにバインドされているが（例えば、ｅＩＣＣＩＤがセカンダリデバイスのＣＳＮ又は他の識別子にバインドされているか）、セカンダリデバイスに未だインストールされていない（例えば、ダウンロード開始命令８１４に含まれるインストールされたｅＳＩＭのリストに含まれていない）かを判定してもよい。いくつかのシナリオでは、ｅＳＩＭサーバは、より具体的に、ダウンロード開始命令８１４において指定されたキャリアネットワークにおける使用のために、ｅＳＩＭがセカンダリデバイスにバインドされているが、インストールされていないかを判定してもよい。
【０１７７】
アンインストールされたｅＳＩＭがセカンダリデバイスにバインドされている（例えば、指定されたキャリアネットワークにおける使用のために）とｅＳＩＭサーバが判定する場合、ｅＳＩＭサーバは次いで、セカンダリデバイスに、セカンダリデバイスにバインドされたｅＳＩＭを含むｅＳＩＭペイロード８１８を送信してもよい。ｅＳＩＭは、例えば、図４〜７のいずれかに図示された手順を通じてバインドされていてもよい。
【０１７８】
アンインストールされたｅＳＩＭがセカンダリデバイスにバインドされていない（例えば、指定されたキャリアネットワークにおける使用のために）とｅＳＩＭサーバが判定する場合、ｅＳＩＭサーバは次いで、指定されたキャリアネットワークがｅＩＣＣＩＤの自動割り当てをサポートするかを判定してもよい。指定されたキャリアネットワークがｅＩＣＣＩＤの自動割り当てをサポートするとｅＳＩＭサーバが判定する場合、ｅＳＩＭサーバは次いで、８１６において、明確な予約要求又はバインド要求を受信せずに、指定されたキャリアネットワークにおける使用のためにｅＩＣＣＩＤをセカンダリデバイスに自動で割り当ててもよい。ｅＩＣＣＩＤがセカンダリデバイスに自動で割り当てられると、ｅＳＩＭサーバは、セカンダリデバイスに、自動で割り当てられたｅＩＣＣＩＤと関連付けられたｅＳＩＭを含むｅＳＩＭペイロード８１８を送信してもよい。
【０１７９】
ｅＳＩＭペイロード８１８を受信したことに応じて、セカンダリデバイスは、８２０において、ｅＳＩＭペイロード８１８において受信されたｅＳＩＭをｅＵＩＣＣに記憶してもよい。この段階において、セカンダリデバイスは、ｅＳＩＭをプロビジョニングされたことに成功している。しかしながら、セカンダリデバイスは、ｅＳＩＭがアクティブなサービスプランと未だ関連付けられていないので、キャリアネットワーク上で通信のためにプロビジョニングされたＳＩＭを未だ使用していないことがある。セカンダリデバイスはまた、プライマリデバイスに対するｅＳＩＭを識別することができる。
【０１８０】
ｅＳＩＭがセカンダリデバイスにプロビジョニングされると、プライマリデバイスは、アクセスサーバに、セカンダリデバイスに対するセルラサインアップを開始する開始要求８２２を送信してもよい。開始要求８２２がセカンダリデバイスにプロビジョニングされたｅＳＩＭをセルラネットワークに通知するためにプロビジョニングされたｅＳＩＭの識別子（例えば、ｅＩＣＣＩＤ）を含んでもよいことを除き、開始要求８２２は、図７の例の開始要求７１２と同様又は同一であってもよい。
【０１８１】
通信８２４〜８３６は、図７の通信７１４〜７２６と同様であってもよく、通信７１４〜７２６の各々の説明が、変更するところは変更して通信８２４〜８３６に適用されてもよい。
【０１８２】
ポータル要求８２６を受信したことに応じて、クライアントポータルサーバは、ＨＳＳ／ＴＡＳ／課金システムに、セカンダリデバイスに対するサービスプランをアクティブ化し、及び／又はプライマリデバイスとセカンダリデバイスとの間でマルチＳＩＭ機能を開始するプラン追加命令８３８を送信してもよい。プラン追加命令８３８は、プラン追加命令７３６と同様又は同一であってもよい。
【０１８３】
プラン追加命令８３８を受信したことに応じて、ＨＳＳ／ＴＡＳ／課金システムは、セカンダリデバイスに対する選択されたサービスプランをアクティブ化してもよい。例えば、ＨＳＳ／ＴＡＳ／課金システムは、選択されたサービスプランをプライマリデバイスと関連付けられた既存のアカウントに追加してもよい。加えて又は代わりに、ＨＳＳ／ＴＡＳ／課金システムは、プライマリデバイスとセカンダリデバイスとの間でマルチＳＩＭ機能を開始してもよい。例えば、ＨＳＳ／ＴＡＳ／課金システムは、プライマリデバイス及びセカンダリデバイスの各々のＩＭＳＩ（又は他の識別子）を同一のＭＤＮにマッピングしてもよい。ＨＳＳ／ＴＡＳ／課金システムは次いで、アクセスサーバに、選択されたサービスプランがアクティブ化されたこと及び／又はマルチＳＩＭ機能が開始されたことを確認応答するアクティブ化ＡＣＫ８４０を送信してもよい。
【０１８４】
クライアントポータルサーバは、例えば、アクティブ化ＡＣＫ８４０を受信したことに応じて、プライマリデバイスにサインアップ完了ＡＣＫ８４２を送信してもよい。サインアップ完了ＡＣＫ８４２は、サービスプランがセカンダリデバイスに対してアクティブ化されたこと及び／又はマルチＳＩＭ機能が開始されたことを確認応答することができる。
【０１８５】
この時点において、セカンダリデバイスにプロビジョニングされたｅＳＩＭは、アクティブなサービスプランと関連付けられており、キャリアネットワーク上で通信のために使用されてもよい。プライマリデバイスは、セカンダリデバイスにプランのアクティブ化が成功したことを通知してもよい。
【０１８６】
図４と同様に、図８の方法は、セカンダリデバイスがｅＳＩＭのその自身のプロビジョニングを開始することを可能にするように適合されてもよい。
【０１８７】
図８、及びそれについての前の説明は例示に過ぎず、様々なステップ又は通信が省略又は再順序付けされてもよいことを理解するべきである。
【０１８８】
図８がプライマリデバイスをスマートフォンとして、セカンダリデバイスをスマートウォッチとして示しているが、それらの例は限定を意図していないことを理解するべきである。プライマリデバイス及びセカンダリデバイスは、本明細書で定義されるそれらの全範囲を有することが意図される。
【０１８９】
本開示の実施形態は、様々な形態のうちのいずれかで実現することができる。例えば、いくつかの実施形態は、コンピュータにより実行される方法、コンピュータ可読記憶媒体、又はコンピュータシステムとして実現することができる。他の実施形態は、ＡＳＩＣなどのカスタム設計されたハードウェアデバイスの１つ以上を使用して、実現することができる。更なる他の実施形態は、ＦＰＧＡなどのプログラム可能なハードウェア要素の１つ以上を使用して実現されてもよい。
【０１９０】
いくつかの実施形態では、非一時的コンピュータ可読記憶媒体は、プログラム命令及び／又はデータを記憶するように構成することができ、プログラム命令は、コンピュータシステムによって実行される場合には、コンピュータシステムに、方法、例えば、本明細書で説明された方法の実施形態のうちのいずれか若しくは本明細書で説明された方法の実施形態の任意の組み合わせ、又は本明細書で説明された方法の実施形態のうちのいずれかの任意のサブセット若しくはこのようなサブセットの任意の組み合わせを実行させる。
【０１９１】
いくつかの実施形態では、デバイス（例えば、ＵＥ１０６、セカンダリデバイス１０７、又は図のいずれかにおいて示されたサーバ若しくはシステムのうちの１つ以上）は、プロセッサ（又はプロセッサのセット）及び記憶媒体を含むように構成されていてもよく、記憶媒体はプログラム命令を記憶し、プロセッサは、記憶媒体からプログラム命令を読み出し、実行するように構成されており、プログラム命令は、方法、例えば、本明細書で説明された様々な方法の実施形態のいずれか（或いは、本明細書で説明された方法の実施形態の任意の組み合わせ、又は本明細書で説明された方法の実施形態のいずれかの任意のサブセット、若しくはこのようなサブセットの任意の組み合わせ）を実施するために実行可能である。デバイスは、様々な形態のうちのいずれかで実現されてもよい。
【０１９２】
上記の実施形態は、かなり詳細に説明されているが、上記の開示が完全に理解されると、当業者には、数多くの変形及び修正が明らかとなるであろう。以下の「特許請求の範囲」は、そのような変形及び修正の全てを包含するように解釈されることを意図するものである。
【図１】
0006647388.tif 000002
【図２】
0006647388.tif 000003
【図３】
0006647388.tif 000004
【図４】
0006647388.tif 000005
【図５】
0006647388.tif 000006
【図６】
0006647388.tif 000007
【図７】
0006647388.tif 000008
【図８】
0006647388.tif 000009